(57)【要約】【課題】AC/DCコンバータの入力側ラインおよび出力側ラインの監視回路の信頼性を向上させると共にコストを抑制する。【解決手段】入力された交流電圧を直流電圧に変換して出力するAC/DCコンバータ1を具備する電源装置10において、直列接続された第１リレーのノーマルオープン接点RY1Lと第２リレーのコイルRY2Mとを介してAC/DCコンバータ1の一方の入力側ライン1a1と他方の入力側ライン1a2とを接続すると共に、第１リレーのノーマルオープン接点RY1Lに対して第２リレーの第２ノーマルオープン接点RY2Lを並列接続し、第１リレーのコイルRY1Mを介してAC/DCコンバータ1の一方の出力側ライン1b1と他方の出力側ライン1b2とを接続し、直列接続された第１リレーのノーマルクローズ接点RY1Rと第２リレーの第１ノーマルオープン接点RY2Rとによって故障信号出力回路14の一部を構成した。【選択図】図１
2010098835.tif 000002
【特許請求の範囲】
【請求項１】
入力された交流電圧を直流電圧に変換して出力するためのＡＣ／ＤＣコンバータ（１）を具備し、
ＡＣ／ＤＣコンバータ（１）の一方の入力側ライン（１ａ１）が交流電源（１１）の一端に接続され、ＡＣ／ＤＣコンバータ（１）の他方の入力側ライン（１ａ２）が交流電源（１１）の他端に接続され、ＡＣ／ＤＣコンバータ（１）の一方の出力側ライン（１ｂ１）が負荷（１３）の一端に接続され、ＡＣ／ＤＣコンバータ（１）の他方の出力側ライン（１ｂ２）が負荷（１３）の他端に接続されるように構成された電源装置（１０）において、
第１リレーのコイル（ＲＹ１Ｍ）と、
第１リレーのコイル（ＲＹ１Ｍ）への通電が開始されるとクローズ状態からオープン状態に切り換わり、第１リレーのコイル（ＲＹ１Ｍ）への通電が遮断されるとオープン状態からクローズ状態に切り換わるノーマルクローズ接点（ＲＹ１Ｒ）と、
第１リレーのコイル（ＲＹ１Ｍ）への通電が開始されるとオープン状態からクローズ状態に切り換わり、第１リレーのコイル（ＲＹ１Ｍ）への通電が遮断されるとクローズ状態からオープン状態に切り換わるノーマルオープン接点（ＲＹ１Ｌ）と、
第２リレーのコイル（ＲＹ２Ｍ）と、
第２リレーのコイル（ＲＹ２Ｍ）への通電が開始されるとオープン状態からクローズ状態に切り換わり、第２リレーのコイル（ＲＹ２Ｍ）への通電が遮断されるとクローズ状態からオープン状態に切り換わる第１ノーマルオープン接点（ＲＹ２Ｒ）と、
第２リレーのコイル（ＲＹ２Ｍ）への通電が開始されるとオープン状態からクローズ状態に切り換わり、第２リレーのコイル（ＲＹ２Ｍ）への通電が遮断されるとクローズ状態からオープン状態に切り換わる第２ノーマルオープン接点（ＲＹ２Ｌ）とを具備し、
直列接続された第１リレーのノーマルオープン接点（ＲＹ１Ｌ）と第２リレーのコイル（ＲＹ２Ｍ）とを介してＡＣ／ＤＣコンバータ（１）の一方の入力側ライン（１ａ１）と他方の入力側ライン（１ａ２）とを接続すると共に、第１リレーのノーマルオープン接点（ＲＹ１Ｌ）に対して第２リレーの第２ノーマルオープン接点（ＲＹ２Ｌ）を並列接続し、
第１リレーのコイル（ＲＹ１Ｍ）を介してＡＣ／ＤＣコンバータ（１）の一方の出力側ライン（１ｂ１）と他方の出力側ライン（１ｂ２）とを接続し、
直列接続された第１リレーのノーマルクローズ接点（ＲＹ１Ｒ）と第２リレーの第１ノーマルオープン接点（ＲＹ２Ｒ）とによって故障信号出力回路（１４）の一部を構成し、
交流電源（１１）からＡＣ／ＤＣコンバータ（１）に交流電圧が入力され、ＡＣ／ＤＣコンバータ（１）から負荷（１３）に直流電圧が出力されると、
第１リレーのコイル（ＲＹ１Ｍ）への通電が開始され、それにより、第１リレーのノーマルクローズ接点（ＲＹ１Ｒ）がクローズ状態からオープン状態に切り換わると共に、第１リレーのノーマルオープン接点（ＲＹ１Ｌ）がオープン状態からクローズ状態に切り換わり、
それにより、第２リレーのコイル（ＲＹ２Ｍ）への通電が開始され、それにより、第２リレーの第１ノーマルオープン接点（ＲＹ２Ｒ）がオープン状態からクローズ状態に切り換わると共に、第２リレーの第２ノーマルオープン接点（ＲＹ２Ｌ）がオープン状態からクローズ状態に切り換わり、
それにより、ＡＣ／ＤＣコンバータ（１）から負荷（１３）に直流電圧が出力されている間、故障信号出力回路（１４）が開いており、故障信号（ＥＭＧＥＸ）が出力されず、
次いで、交流電源（１１）からＡＣ／ＤＣコンバータ（１）に交流電圧が入力されているにもかかわらず、ＡＣ／ＤＣコンバータ（１）から負荷（１３）に直流電圧が出力されなくなると、
第１リレーのコイル（ＲＹ１Ｍ）への通電が遮断され、それにより、第１リレーのノーマルクローズ接点（ＲＹ１Ｒ）がオープン状態からクローズ状態に切り換わると共に、第１リレーのノーマルオープン接点（ＲＹ１Ｌ）がクローズ状態からオープン状態に切り換わり、
第２リレーの第２ノーマルオープン接点（ＲＹ２Ｌ）がクローズ状態に維持されると共に、第２リレーのコイル（ＲＹ２Ｍ）への通電が維持され、それにより、第２リレーの第１ノーマルオープン接点（ＲＹ２Ｒ）のクローズ状態が維持され、
それにより、故障信号出力回路（１４）が閉じられ、故障信号（ＥＭＧＥＸ）が出力されることを特徴とする電源装置（１０）。
【請求項２】
入力された交流電圧を直流電圧に変換して出力するためのＡＣ／ＤＣコンバータ（１）を具備し、
ＡＣ／ＤＣコンバータ（１）の一方の入力側ライン（１ａ１）が交流電源（１１）の一端に接続され、ＡＣ／ＤＣコンバータ（１）の他方の入力側ライン（１ａ２）が交流電源（１１）の他端に接続され、ＡＣ／ＤＣコンバータ（１）の一方の出力側ライン（１ｂ１）が負荷（１３）の一端に接続され、ＡＣ／ＤＣコンバータ（１）の他方の出力側ライン（１ｂ２）が負荷（１３）の他端に接続されるように構成された電源装置（１０）において、
第１リレーのコイル（ＲＹ１Ｍ）と、
第１リレーのコイル（ＲＹ１Ｍ）への通電が開始されるとクローズ状態からオープン状態に切り換わり、第１リレーのコイル（ＲＹ１Ｍ）への通電が遮断されるとオープン状態からクローズ状態に切り換わるノーマルクローズ接点（ＲＹ１Ｒ）と、
第１リレーのコイル（ＲＹ１Ｍ）への通電が開始されるとオープン状態からクローズ状態に切り換わり、第１リレーのコイル（ＲＹ１Ｍ）への通電が遮断されるとクローズ状態からオープン状態に切り換わるノーマルオープン接点（ＲＹ１Ｌ）と、
第２リレーのコイル（ＲＹ２Ｍ）と、
第２リレーのコイル（ＲＹ２Ｍ）への通電が開始されるとオープン状態からクローズ状態に切り換わり、第２リレーのコイル（ＲＹ２Ｍ）への通電が遮断されるとクローズ状態からオープン状態に切り換わる第１ノーマルオープン接点（ＲＹ２Ｒ）と、
第２リレーのコイル（ＲＹ２Ｍ）への通電が開始されるとオープン状態からクローズ状態に切り換わり、第２リレーのコイル（ＲＹ２Ｍ）への通電が遮断されるとクローズ状態からオープン状態に切り換わる第２ノーマルオープン接点（ＲＹ２Ｌ）と、
第３リレーのコイル（ＲＹ３Ｍ）と、
第３リレーのコイル（ＲＹ３Ｍ）への通電が開始されるとクローズ状態からオープン状態に切り換わり、第３リレーのコイル（ＲＹ３Ｍ）への通電が遮断されるとオープン状態からクローズ状態に切り換わるノーマルクローズ接点（ＲＹ３Ｌ）と、
第３リレーのコイル（ＲＹ３Ｍ）への通電が開始されるとオープン状態からクローズ状態に切り換わり、第３リレーのコイル（ＲＹ３Ｍ）への通電が遮断されるとクローズ状態からオープン状態に切り換わるノーマルオープン接点（ＲＹ３Ｒ）と、
非常停止スイッチ（ＳＷ）と、
非常停止信号遅延回路（１５）とを具備し、
直列接続された第１リレーのノーマルオープン接点（ＲＹ１Ｌ）と第３リレーのノーマルクローズ接点（ＲＹ３Ｌ）と第２リレーのコイル（ＲＹ２Ｍ）とを介してＡＣ／ＤＣコンバータ（１）の一方の入力側ライン（１ａ１）と他方の入力側ライン（１ａ２）とを接続すると共に、第１リレーのノーマルオープン接点（ＲＹ１Ｌ）に対して第２リレーの第２ノーマルオープン接点（ＲＹ２Ｌ）を並列接続し、
第１リレーのコイル（ＲＹ１Ｍ）を介してＡＣ／ＤＣコンバータ（１）の一方の出力側ライン（１ｂ１）と他方の出力側ライン（１ｂ２）とを接続し、
直列接続された第１リレーのノーマルクローズ接点（ＲＹ１Ｒ）と第２リレーの第１ノーマルオープン接点（ＲＹ２Ｒ）とによって故障信号出力回路（１４）の一部を構成し、
直列接続された第３リレーのコイル（ＲＹ３Ｍ）と非常停止スイッチ（ＳＷ）とを介してＡＣ／ＤＣコンバータ（１）の一方の入力側ライン（１ａ１）と他方の入力側ライン（１ａ２）とを接続し、
非常停止スイッチ（ＳＷ）がオフ状態からオン状態に切り換えられると、第３リレーのコイル（ＲＹ３Ｍ）への通電が開始され、それにより、第３リレーのノーマルオープン接点（ＲＹ３Ｒ）がオープン状態からクローズ状態に切り換わり、ＡＣ／ＤＣコンバータ（１）から負荷（１３）への直流電圧の出力を停止すべき旨の非常停止指令が所定の遅延時間の後にＡＣ／ＤＣコンバータ（１）に入力され、それにより、ＡＣ／ＤＣコンバータ（１）から負荷（１３）に直流電圧が出力されなくなるように、非常停止信号遅延回路（１５）とＡＣ／ＤＣコンバータ（１）とを接続し、
交流電源（１１）からＡＣ／ＤＣコンバータ（１）に交流電圧が入力され、非常停止スイッチ（ＳＷ）がオフ状態に維持され、ＡＣ／ＤＣコンバータ（１）から負荷（１３）に直流電圧が出力されると、
第３リレーのコイル（ＲＹ３Ｍ）への通電が遮断された状態で維持され、それにより、第３リレーのノーマルクローズ接点（ＲＹ３Ｌ）がクローズ状態で維持され、
第１リレーのコイル（ＲＹ１Ｍ）への通電が開始され、それにより、第１リレーのノーマルクローズ接点（ＲＹ１Ｒ）がクローズ状態からオープン状態に切り換わると共に、第１リレーのノーマルオープン接点（ＲＹ１Ｌ）がオープン状態からクローズ状態に切り換わり、
それにより、第２リレーのコイル（ＲＹ２Ｍ）への通電が開始され、それにより、第２リレーの第１ノーマルオープン接点（ＲＹ２Ｒ）がオープン状態からクローズ状態に切り換わると共に、第２リレーの第２ノーマルオープン接点（ＲＹ２Ｌ）がオープン状態からクローズ状態に切り換わり、
それにより、ＡＣ／ＤＣコンバータ（１）から負荷（１３）に直流電圧が出力されている間、故障信号出力回路（１４）が開いており、故障信号（ＥＭＧＥＸ）が出力されず、
交流電源（１１）からＡＣ／ＤＣコンバータ（１）に交流電圧が入力され、非常停止スイッチ（ＳＷ）がオフ状態に維持され、ＡＣ／ＤＣコンバータ（１）から負荷（１３）に直流電圧が出力されている状態から、交流電源（１１）からＡＣ／ＤＣコンバータ（１）に交流電圧が入力され、非常停止スイッチ（ＳＷ）がオン状態にされると、
第３リレーのコイル（ＲＹ３Ｍ）への通電が開始され、それにより、第３リレーのノーマルクローズ接点（ＲＹ３Ｌ）がクローズ状態からオープン状態に切り換わり、
それにより、第２リレーのコイル（ＲＹ２Ｍ）への通電が遮断され、それにより、第２リレーの第２ノーマルオープン接点（ＲＹ２Ｌ）がクローズ状態からオープン状態に切り換わると共に、第２リレーの第１ノーマルオープン接点（ＲＹ２Ｒ）がクローズ状態からオープン状態に切り換わり、
それにより、非常停止スイッチ（ＳＷ）がオン状態に維持されている間、故障信号出力回路（１４）が開いており、それにより、ＡＣ／ＤＣコンバータ（１）から負荷（１３）に直流電圧が出力されなくなっても故障信号（ＥＭＧＥＸ）が出力されなくなり、
次いで、所定の遅延時間の後に、ＡＣ／ＤＣコンバータ（１）から負荷（１３）に直流電圧が出力されなくなり、
それにより、第１リレーのコイル（ＲＹ１Ｍ）への通電が遮断され、それにより、第１リレーのノーマルクローズ接点（ＲＹ１Ｒ）がオープン状態からクローズ状態に切り換わると共に、第１リレーのノーマルオープン接点（ＲＹ１Ｌ）がクローズ状態からオープン状態に切り換わり、
交流電源（１１）からＡＣ／ＤＣコンバータ（１）に交流電圧が入力され、非常停止スイッチ（ＳＷ）がオフ状態に維持され、ＡＣ／ＤＣコンバータ（１）から負荷（１３）に直流電圧が出力されている状態から、交流電源（１１）からＡＣ／ＤＣコンバータ（１）に交流電圧が入力され、非常停止スイッチ（ＳＷ）がオフ状態に維持されているにもかかわらず、ＡＣ／ＤＣコンバータ（１）から負荷（１３）に直流電圧が出力されない状態に切り換わると、
第３リレーのコイル（ＲＹ３Ｍ）への通電が遮断された状態で維持され、それにより、第３リレーのノーマルクローズ接点（ＲＹ３Ｌ）がクローズ状態で維持され、
第１リレーのコイル（ＲＹ１Ｍ）への通電が遮断され、それにより、第１リレーのノーマルクローズ接点（ＲＹ１Ｒ）がオープン状態からクローズ状態に切り換わると共に、第１リレーのノーマルオープン接点（ＲＹ１Ｌ）がクローズ状態からオープン状態に切り換わり、
第２リレーの第２ノーマルオープン接点（ＲＹ２Ｌ）がクローズ状態に維持されると共に、第２リレーのコイル（ＲＹ２Ｍ）への通電が維持され、それにより、第２リレーの第１ノーマルオープン接点（ＲＹ２Ｒ）のクローズ状態が維持され、
それにより、故障信号出力回路（１４）が閉じられ、故障信号（ＥＭＧＥＸ）が出力されることを特徴とする電源装置（１０）。
【請求項３】
入力された交流電圧を直流電圧に変換して出力するためのＡＣ／ＤＣコンバータ（１）を具備し、
ＡＣ／ＤＣコンバータ（１）の一方の入力側ライン（１ａ１）が交流電源（１１）の一端に接続され、ＡＣ／ＤＣコンバータ（１）の他方の入力側ライン（１ａ２）が交流電源（１１）の他端に接続され、ＡＣ／ＤＣコンバータ（１）の一方の出力側ライン（１ｂ１）が負荷（１３）の一端に接続され、ＡＣ／ＤＣコンバータ（１）の他方の出力側ライン（１ｂ２）が負荷（１３）の他端に接続されるように構成された電源装置（１０）において、
第１リレーのコイル（ＲＹ１Ｍ）と、
第１リレーのコイル（ＲＹ１Ｍ）への通電が開始されるとクローズ状態からオープン状態に切り換わり、第１リレーのコイル（ＲＹ１Ｍ）への通電が遮断されるとオープン状態からクローズ状態に切り換わるノーマルクローズ接点（ＲＹ１Ｒ）と、
第１リレーのコイル（ＲＹ１Ｍ）への通電が開始されるとオープン状態からクローズ状態に切り換わり、第１リレーのコイル（ＲＹ１Ｍ）への通電が遮断されるとクローズ状態からオープン状態に切り換わるノーマルオープン接点（ＲＹ１Ｌ）と、
第２リレーのコイル（ＲＹ２Ｍ）と、
第２リレーのコイル（ＲＹ２Ｍ）への通電が開始されるとオープン状態からクローズ状態に切り換わり、第２リレーのコイル（ＲＹ２Ｍ）への通電が遮断されるとクローズ状態からオープン状態に切り換わる第１ノーマルオープン接点（ＲＹ２Ｒ）と、
第２リレーのコイル（ＲＹ２Ｍ）への通電が開始されるとオープン状態からクローズ状態に切り換わり、第２リレーのコイル（ＲＹ２Ｍ）への通電が遮断されるとクローズ状態からオープン状態に切り換わる第２ノーマルオープン接点（ＲＹ２Ｌ）と、
第３リレーのコイル（ＲＹ３Ｍ）と、
第３リレーのコイル（ＲＹ３Ｍ）への通電が開始されるとクローズ状態からオープン状態に切り換わり、第３リレーのコイル（ＲＹ３Ｍ）への通電が遮断されるとオープン状態からクローズ状態に切り換わるノーマルクローズ接点（ＲＹ３Ｌ）と、
第３リレーのコイル（ＲＹ３Ｍ）への通電が開始されるとオープン状態からクローズ状態に切り換わり、第３リレーのコイル（ＲＹ３Ｍ）への通電が遮断されるとクローズ状態からオープン状態に切り換わるノーマルオープン接点（ＲＹ３Ｒ）と、
第４リレーのコイル（ＲＹ４Ｍ）と、
第４リレーのコイル（ＲＹ４Ｍ）への通電が開始されるとオープン状態からクローズ状態に切り換わり、第４リレーのコイル（ＲＹ４Ｍ）への通電が遮断されるとクローズ状態からオープン状態に切り換わる第１ノーマルオープン接点（ＲＹ４Ｒ）と、
第４リレーのコイル（ＲＹ４Ｍ）への通電が開始されるとオープン状態からクローズ状態に切り換わり、第４リレーのコイル（ＲＹ４Ｍ）への通電が遮断されるとクローズ状態からオープン状態に切り換わる第２ノーマルオープン接点（ＲＹ４Ｌ）と、
非常停止スイッチ（ＳＷ）と、
非常停止信号遅延回路（１５）とを具備し、
直列接続された第１リレーのノーマルオープン接点（ＲＹ１Ｌ）と第３リレーのノーマルクローズ接点（ＲＹ３Ｌ）と第２リレーのコイル（ＲＹ２Ｍ）とを介してＡＣ／ＤＣコンバータ（１）の一方の入力側ライン（１ａ１）と他方の入力側ライン（１ａ２）とを接続し、
直列接続された第１リレーのノーマルオープン接点（ＲＹ１Ｌ）と第３リレーのノーマルクローズ接点（ＲＹ３Ｌ）と第２リレーのコイル（ＲＹ２Ｍ）とに対して、直列接続された第２リレーの第１ノーマルオープン接点（ＲＹ２Ｒ）と第１リレーのノーマルクローズ接点（ＲＹ１Ｒ）と第４リレーのコイル（ＲＹ４Ｍ）とを並列接続し、
第１リレーのノーマルオープン接点（ＲＹ１Ｌ）に対して第２リレーの第２ノーマルオープン接点（ＲＹ２Ｌ）を並列接続し、
第２リレーの第１ノーマルオープン接点（ＲＹ２Ｒ）に対して第４リレーの第２ノーマルオープン接点（ＲＹ４Ｌ）を並列接続し、
第１リレーのコイル（ＲＹ１Ｍ）を介してＡＣ／ＤＣコンバータ（１）の一方の出力側ライン（１ｂ１）と他方の出力側ライン（１ｂ２）とを接続し、
第４リレーの第１ノーマルオープン接点（ＲＹ４Ｒ）によって故障信号出力回路（１４）の一部を構成し、
直列接続された第３リレーのコイル（ＲＹ３Ｍ）と非常停止スイッチ（ＳＷ）とを介してＡＣ／ＤＣコンバータ（１）の一方の入力側ライン（１ａ１）と他方の入力側ライン（１ａ２）とを接続し、
非常停止スイッチ（ＳＷ）がオフ状態からオン状態に切り換えられると、第３リレーのコイル（ＲＹ３Ｍ）への通電が開始され、それにより、第３リレーのノーマルオープン接点（ＲＹ３Ｒ）がオープン状態からクローズ状態に切り換わり、ＡＣ／ＤＣコンバータ（１）から負荷（１３）への直流電圧の出力を停止すべき旨の非常停止指令が所定の遅延時間の後にＡＣ／ＤＣコンバータ（１）に入力され、それにより、ＡＣ／ＤＣコンバータ（１）から負荷（１３）に直流電圧が出力されなくなるように、非常停止信号遅延回路（１５）とＡＣ／ＤＣコンバータ（１）とを接続し、
交流電源（１１）からＡＣ／ＤＣコンバータ（１）に交流電圧が入力され、非常停止スイッチ（ＳＷ）がオフ状態に維持され、ＡＣ／ＤＣコンバータ（１）から負荷（１３）に直流電圧が出力されると、
第３リレーのコイル（ＲＹ３Ｍ）への通電が遮断された状態で維持され、それにより、第３リレーのノーマルクローズ接点（ＲＹ３Ｌ）がクローズ状態で維持され、
第１リレーのコイル（ＲＹ１Ｍ）への通電が開始され、それにより、第１リレーのノーマルクローズ接点（ＲＹ１Ｒ）がクローズ状態からオープン状態に切り換わり、
それにより、第４リレーのコイル（ＲＹ４Ｍ）への通電が遮断された状態で維持され、それにより、第４リレーの第１ノーマルオープン接点（ＲＹ４Ｒ）および第２ノーマルオープン接点（ＲＹ４Ｌ）がオープン状態で維持され、
それにより、ＡＣ／ＤＣコンバータ（１）から負荷（１３）に直流電圧が出力されている間、故障信号出力回路（１４）が開いており、故障信号（ＥＭＧＥＸ）が出力されず、
更に、第１リレーのコイル（ＲＹ１Ｍ）への通電が開始されるのに伴って、第１リレーのノーマルオープン接点（ＲＹ１Ｌ）がオープン状態からクローズ状態に切り換わり、
それにより、第２リレーのコイル（ＲＹ２Ｍ）への通電が開始され、それにより、第２リレーの第１ノーマルオープン接点（ＲＹ２Ｒ）がオープン状態からクローズ状態に切り換わると共に、第２リレーの第２ノーマルオープン接点（ＲＹ２Ｌ）がオープン状態からクローズ状態に切り換わり、
交流電源（１１）からＡＣ／ＤＣコンバータ（１）に交流電圧が入力され、非常停止スイッチ（ＳＷ）がオフ状態に維持され、ＡＣ／ＤＣコンバータ（１）から負荷（１３）に直流電圧が出力されている状態から、交流電源（１１）からＡＣ／ＤＣコンバータ（１）に交流電圧が入力され、非常停止スイッチ（ＳＷ）がオン状態にされると、
第３リレーのコイル（ＲＹ３Ｍ）への通電が開始され、それにより、第３リレーのノーマルクローズ接点（ＲＹ３Ｌ）がクローズ状態からオープン状態に切り換わり、
それにより、第２リレーのコイル（ＲＹ２Ｍ）への通電が遮断され、それにより、第２リレーの第２ノーマルオープン接点（ＲＹ２Ｌ）がクローズ状態からオープン状態に切り換わると共に、第２リレーの第１ノーマルオープン接点（ＲＹ２Ｒ）がクローズ状態からオープン状態に切り換わり、
それにより、非常停止スイッチ（ＳＷ）がオン状態に維持されている間、第４リレーのコイル（ＲＹ４Ｍ）への通電が遮断され、それにより、第４リレーの第１ノーマルオープン接点（ＲＹ４Ｒ）および第２ノーマルオープン接点（ＲＹ４Ｌ）がオープン状態で維持され、それにより、故障信号出力回路（１４）が開いており、それにより、ＡＣ／ＤＣコンバータ（１）から負荷（１３）に直流電圧が出力されなくなっても故障信号（ＥＭＧＥＸ）が出力されなくなり、
次いで、所定の遅延時間の後に、ＡＣ／ＤＣコンバータ（１）から負荷（１３）に直流電圧が出力されなくなり、
それにより、第１リレーのコイル（ＲＹ１Ｍ）への通電が遮断され、それにより、第１リレーのノーマルクローズ接点（ＲＹ１Ｒ）がオープン状態からクローズ状態に切り換わると共に、第１リレーのノーマルオープン接点（ＲＹ１Ｌ）がクローズ状態からオープン状態に切り換わり、
交流電源（１１）からＡＣ／ＤＣコンバータ（１）に交流電圧が入力され、非常停止スイッチ（ＳＷ）がオフ状態に維持され、ＡＣ／ＤＣコンバータ（１）から負荷（１３）に直流電圧が出力されている状態から、交流電源（１１）からＡＣ／ＤＣコンバータ（１）に交流電圧が入力され、非常停止スイッチ（ＳＷ）がオフ状態に維持されているにもかかわらず、ＡＣ／ＤＣコンバータ（１）から負荷（１３）に直流電圧が出力されない状態に切り換わると、
第３リレーのコイル（ＲＹ３Ｍ）への通電が遮断された状態で維持され、それにより、第３リレーのノーマルクローズ接点（ＲＹ３Ｌ）がクローズ状態で維持され、
第１リレーのコイル（ＲＹ１Ｍ）への通電が遮断され、それにより、第１リレーのノーマルクローズ接点（ＲＹ１Ｒ）がオープン状態からクローズ状態に切り換わると共に、第１リレーのノーマルオープン接点（ＲＹ１Ｌ）がクローズ状態からオープン状態に切り換わり、
第２リレーの第２ノーマルオープン接点（ＲＹ２Ｌ）がクローズ状態に維持されると共に、第２リレーのコイル（ＲＹ２Ｍ）への通電が維持され、それにより、第２リレーの第１ノーマルオープン接点（ＲＹ２Ｒ）のクローズ状態が維持され、
それにより、第４リレーのコイル（ＲＹ４Ｍ）への通電が開始され、それにより、第４リレーの第１ノーマルオープン接点（ＲＹ４Ｒ）および第２ノーマルオープン接点（ＲＹ４Ｌ）がオープン状態からクローズ状態に切り換わり、
それにより、故障信号出力回路（１４）が閉じられ、故障信号（ＥＭＧＥＸ）が出力され、
交流電源（１１）からＡＣ／ＤＣコンバータ（１）に交流電圧が入力され、ＡＣ／ＤＣコンバータ（１）から負荷（１３）に直流電圧が出力されず、非常停止スイッチ（ＳＷ）がオフ状態に維持されている状態から、交流電源（１１）からＡＣ／ＤＣコンバータ（１）に交流電圧が入力され、ＡＣ／ＤＣコンバータ（１）から負荷（１３）に直流電圧が出力されず、非常停止スイッチ（ＳＷ）がオン状態に切り換わると、
第１リレーのコイル（ＲＹ１Ｍ）への通電が遮断された状態で維持され、それにより、第１リレーのノーマルクローズ接点（ＲＹ１Ｒ）がクローズ状態に維持されると共に、第１リレーのノーマルオープン接点（ＲＹ１Ｌ）がオープン状態に維持され、
第４リレーの第２ノーマルオープン接点（ＲＹ４Ｌ）がクローズ状態に維持されると共に、第４リレーのコイル（ＲＹ４Ｍ）への通電が維持され、それにより、第４リレーの第１ノーマルオープン接点（ＲＹ４Ｒ）のクローズ状態が維持され、
それにより、故障信号出力回路（１４）が閉じられた状態が維持され、故障信号（ＥＭＧＥＸ）が出力され続けることを特徴とする電源装置（１０）。
【発明の詳細な説明】
【技術分野】
【０００１】
本発明は、入力された交流電圧を直流電圧に変換して出力するためのＡＣ／ＤＣコンバータを具備し、ＡＣ／ＤＣコンバータの一方の入力側ラインが交流電源の一端に接続され、ＡＣ／ＤＣコンバータの他方の入力側ラインが交流電源の他端に接続され、ＡＣ／ＤＣコンバータの一方の出力側ラインが負荷の一端に接続され、ＡＣ／ＤＣコンバータの他方の出力側ラインが負荷の他端に接続されるように構成された電源装置に関する。
【０００２】
特に、本発明は、ＡＣ／ＤＣコンバータの入力側ラインおよび出力側ラインの監視回路用に別個に設けられる電源の数を低減することができる電源装置に関する。
【０００３】
詳細には、本発明は、ＡＣ／ＤＣコンバータの入力側ラインおよび出力側ラインの監視回路用に別個に設けられる電源の数を低減することにより、ＡＣ／ＤＣコンバータの入力側ラインおよび出力側ラインの監視回路の信頼性を向上させることができる電源装置に関する。
【０００４】
更に、本発明は、ＡＣ／ＤＣコンバータの入力側ラインおよび出力側ラインの監視回路用に別個に設けられる電源の数を低減することにより、ＡＣ／ＤＣコンバータの入力側ラインおよび出力側ラインの監視回路のコストを抑制することができる電源装置に関する。
【０００５】
また、本発明は、ＡＣ／ＤＣコンバータの入力側ラインおよび出力側ラインの監視回路の構成部品が故障しているか否かの判別を容易にすることができる電源装置に関する。
【背景技術】
【０００６】
従来から、入力された交流電圧を直流電圧に変換して出力するためのＡＣ／ＤＣコンバータを具備し、ＡＣ／ＤＣコンバータの一方の入力側ラインが交流電源の一端に接続され、ＡＣ／ＤＣコンバータの他方の入力側ラインが交流電源の他端に接続され、ＡＣ／ＤＣコンバータの一方の出力側ラインが負荷の一端に接続され、ＡＣ／ＤＣコンバータの他方の出力側ラインが負荷の他端に接続されるように構成された電源装置が知られている。この種の電源装置の例としては、例えば特開２００７−２６７５０１号公報の図１〜図３に記載されたものがある。
【０００７】
特開２００７−２６７５０１号公報の図１〜図３（詳細には、図２）に記載された電源装置では、ＡＣ／ＤＣコンバータの入力側ラインの監視回路が、２個の抵抗と、１個の電源と、コンパレータ回路とによって構成されている。
【０００８】
更に、特開２００７−２６７５０１号公報の図１〜図３（詳細には、図２）に記載された電源装置では、ＡＣ／ＤＣコンバータの出力側ラインの監視回路が、２個の抵抗と、１個の電源と、コンパレータ回路とによって構成されている。
【０００９】
換言すれば、特開２００７−２６７５０１号公報の図１〜図３（詳細には、図２）に記載された電源装置では、ＡＣ／ＤＣコンバータの入力側ラインおよび出力側ラインを監視するために、ＡＣ／ＤＣコンバータに入力される交流電源とは別個に２個の直流電源が設けられている。
【００１０】
そのため、特開２００７−２６７５０１号公報の図１〜図３に記載された電源装置では、ＡＣ／ＤＣコンバータの入力側ラインおよび出力側ラインを監視するために、ＡＣ／ＤＣコンバータに入力される交流電源とは別個に直流電源が設けられていない場合よりも、ＡＣ／ＤＣコンバータの入力側ラインおよび出力側ラインの監視回路が故障する可能性が高くなってしまい、信頼性が低下してしまう。
【００１１】
更に、特開２００７−２６７５０１号公報の図１〜図３に記載された電源装置では、ＡＣ／ＤＣコンバータの入力側ラインおよび出力側ラインを監視するために、ＡＣ／ＤＣコンバータに入力される交流電源とは別個に直流電源が設けられていない場合よりも、ＡＣ／ＤＣコンバータの入力側ラインおよび出力側ラインの監視回路のコストが嵩んでしまう。
【００１２】
また、特開２００７−２６７５０１号公報の図１〜図３（詳細には、図２）に記載された電源装置では、故障しているか否かの判別を例えば視覚によって行うことができないコンパレータ回路が、ＡＣ／ＤＣコンバータの入力側ラインおよび出力側ラインの監視回路に用いられている。
【００１３】
そのため、特開２００７−２６７５０１号公報の図１〜図３に記載された電源装置では、ＡＣ／ＤＣコンバータの入力側ラインおよび出力側ラインの監視回路が故障しているか否かの判別を容易にすることができない。
【００１４】
【特許文献１】特開２００７−２６７５０１号公報の図１〜図３
【発明の開示】
【発明が解決しようとする課題】
【００１５】
前記問題点に鑑み、本発明は、ＡＣ／ＤＣコンバータの入力側ラインおよび出力側ラインの監視回路用に別個に設けられる電源の数を低減することができる電源装置を提供することを目的とする。
【００１６】
詳細には、本発明は、ＡＣ／ＤＣコンバータの入力側ラインおよび出力側ラインの監視回路用に別個に設けられる電源の数を低減することにより、ＡＣ／ＤＣコンバータの入力側ラインおよび出力側ラインの監視回路の信頼性を向上させることができる電源装置を提供することを目的とする。
【００１７】
更に、本発明は、ＡＣ／ＤＣコンバータの入力側ラインおよび出力側ラインの監視回路用に別個に設けられる電源の数を低減することにより、ＡＣ／ＤＣコンバータの入力側ラインおよび出力側ラインの監視回路のコストを抑制することができる電源装置を提供することを目的とする。
【００１８】
また、本発明は、ＡＣ／ＤＣコンバータの入力側ラインおよび出力側ラインの監視回路の構成部品が故障しているか否かの判別を容易にすることができる電源装置を提供することを目的とする。
【課題を解決するための手段】
【００１９】
請求項１に記載の発明によれば、入力された交流電圧を直流電圧に変換して出力するためのＡＣ／ＤＣコンバータ（１）を具備し、
ＡＣ／ＤＣコンバータ（１）の一方の入力側ライン（１ａ１）が交流電源（１１）の一端に接続され、ＡＣ／ＤＣコンバータ（１）の他方の入力側ライン（１ａ２）が交流電源（１１）の他端に接続され、ＡＣ／ＤＣコンバータ（１）の一方の出力側ライン（１ｂ１）が負荷（１３）の一端に接続され、ＡＣ／ＤＣコンバータ（１）の他方の出力側ライン（１ｂ２）が負荷（１３）の他端に接続されるように構成された電源装置（１０）において、
第１リレーのコイル（ＲＹ１Ｍ）と、
第１リレーのコイル（ＲＹ１Ｍ）への通電が開始されるとクローズ状態からオープン状態に切り換わり、第１リレーのコイル（ＲＹ１Ｍ）への通電が遮断されるとオープン状態からクローズ状態に切り換わるノーマルクローズ接点（ＲＹ１Ｒ）と、
第１リレーのコイル（ＲＹ１Ｍ）への通電が開始されるとオープン状態からクローズ状態に切り換わり、第１リレーのコイル（ＲＹ１Ｍ）への通電が遮断されるとクローズ状態からオープン状態に切り換わるノーマルオープン接点（ＲＹ１Ｌ）と、
第２リレーのコイル（ＲＹ２Ｍ）と、
第２リレーのコイル（ＲＹ２Ｍ）への通電が開始されるとオープン状態からクローズ状態に切り換わり、第２リレーのコイル（ＲＹ２Ｍ）への通電が遮断されるとクローズ状態からオープン状態に切り換わる第１ノーマルオープン接点（ＲＹ２Ｒ）と、
第２リレーのコイル（ＲＹ２Ｍ）への通電が開始されるとオープン状態からクローズ状態に切り換わり、第２リレーのコイル（ＲＹ２Ｍ）への通電が遮断されるとクローズ状態からオープン状態に切り換わる第２ノーマルオープン接点（ＲＹ２Ｌ）とを具備し、
直列接続された第１リレーのノーマルオープン接点（ＲＹ１Ｌ）と第２リレーのコイル（ＲＹ２Ｍ）とを介してＡＣ／ＤＣコンバータ（１）の一方の入力側ライン（１ａ１）と他方の入力側ライン（１ａ２）とを接続すると共に、第１リレーのノーマルオープン接点（ＲＹ１Ｌ）に対して第２リレーの第２ノーマルオープン接点（ＲＹ２Ｌ）を並列接続し、
第１リレーのコイル（ＲＹ１Ｍ）を介してＡＣ／ＤＣコンバータ（１）の一方の出力側ライン（１ｂ１）と他方の出力側ライン（１ｂ２）とを接続し、
直列接続された第１リレーのノーマルクローズ接点（ＲＹ１Ｒ）と第２リレーの第１ノーマルオープン接点（ＲＹ２Ｒ）とによって故障信号出力回路（１４）の一部を構成し、
交流電源（１１）からＡＣ／ＤＣコンバータ（１）に交流電圧が入力され、ＡＣ／ＤＣコンバータ（１）から負荷（１３）に直流電圧が出力されると、
第１リレーのコイル（ＲＹ１Ｍ）への通電が開始され、それにより、第１リレーのノーマルクローズ接点（ＲＹ１Ｒ）がクローズ状態からオープン状態に切り換わると共に、第１リレーのノーマルオープン接点（ＲＹ１Ｌ）がオープン状態からクローズ状態に切り換わり、
それにより、第２リレーのコイル（ＲＹ２Ｍ）への通電が開始され、それにより、第２リレーの第１ノーマルオープン接点（ＲＹ２Ｒ）がオープン状態からクローズ状態に切り換わると共に、第２リレーの第２ノーマルオープン接点（ＲＹ２Ｌ）がオープン状態からクローズ状態に切り換わり、
それにより、ＡＣ／ＤＣコンバータ（１）から負荷（１３）に直流電圧が出力されている間、故障信号出力回路（１４）が開いており、故障信号（ＥＭＧＥＸ）が出力されず、
次いで、交流電源（１１）からＡＣ／ＤＣコンバータ（１）に交流電圧が入力されているにもかかわらず、ＡＣ／ＤＣコンバータ（１）から負荷（１３）に直流電圧が出力されなくなると、
第１リレーのコイル（ＲＹ１Ｍ）への通電が遮断され、それにより、第１リレーのノーマルクローズ接点（ＲＹ１Ｒ）がオープン状態からクローズ状態に切り換わると共に、第１リレーのノーマルオープン接点（ＲＹ１Ｌ）がクローズ状態からオープン状態に切り換わり、
第２リレーの第２ノーマルオープン接点（ＲＹ２Ｌ）がクローズ状態に維持されると共に、第２リレーのコイル（ＲＹ２Ｍ）への通電が維持され、それにより、第２リレーの第１ノーマルオープン接点（ＲＹ２Ｒ）のクローズ状態が維持され、
それにより、故障信号出力回路（１４）が閉じられ、故障信号（ＥＭＧＥＸ）が出力されることを特徴とする電源装置（１０）が提供される。
【００２０】
請求項２に記載の発明によれば、入力された交流電圧を直流電圧に変換して出力するためのＡＣ／ＤＣコンバータ（１）を具備し、
ＡＣ／ＤＣコンバータ（１）の一方の入力側ライン（１ａ１）が交流電源（１１）の一端に接続され、ＡＣ／ＤＣコンバータ（１）の他方の入力側ライン（１ａ２）が交流電源（１１）の他端に接続され、ＡＣ／ＤＣコンバータ（１）の一方の出力側ライン（１ｂ１）が負荷（１３）の一端に接続され、ＡＣ／ＤＣコンバータ（１）の他方の出力側ライン（１ｂ２）が負荷（１３）の他端に接続されるように構成された電源装置（１０）において、
第１リレーのコイル（ＲＹ１Ｍ）と、
第１リレーのコイル（ＲＹ１Ｍ）への通電が開始されるとクローズ状態からオープン状態に切り換わり、第１リレーのコイル（ＲＹ１Ｍ）への通電が遮断されるとオープン状態からクローズ状態に切り換わるノーマルクローズ接点（ＲＹ１Ｒ）と、
第１リレーのコイル（ＲＹ１Ｍ）への通電が開始されるとオープン状態からクローズ状態に切り換わり、第１リレーのコイル（ＲＹ１Ｍ）への通電が遮断されるとクローズ状態からオープン状態に切り換わるノーマルオープン接点（ＲＹ１Ｌ）と、
第２リレーのコイル（ＲＹ２Ｍ）と、
第２リレーのコイル（ＲＹ２Ｍ）への通電が開始されるとオープン状態からクローズ状態に切り換わり、第２リレーのコイル（ＲＹ２Ｍ）への通電が遮断されるとクローズ状態からオープン状態に切り換わる第１ノーマルオープン接点（ＲＹ２Ｒ）と、
第２リレーのコイル（ＲＹ２Ｍ）への通電が開始されるとオープン状態からクローズ状態に切り換わり、第２リレーのコイル（ＲＹ２Ｍ）への通電が遮断されるとクローズ状態からオープン状態に切り換わる第２ノーマルオープン接点（ＲＹ２Ｌ）と、
第３リレーのコイル（ＲＹ３Ｍ）と、
第３リレーのコイル（ＲＹ３Ｍ）への通電が開始されるとクローズ状態からオープン状態に切り換わり、第３リレーのコイル（ＲＹ３Ｍ）への通電が遮断されるとオープン状態からクローズ状態に切り換わるノーマルクローズ接点（ＲＹ３Ｌ）と、
第３リレーのコイル（ＲＹ３Ｍ）への通電が開始されるとオープン状態からクローズ状態に切り換わり、第３リレーのコイル（ＲＹ３Ｍ）への通電が遮断されるとクローズ状態からオープン状態に切り換わるノーマルオープン接点（ＲＹ３Ｒ）と、
非常停止スイッチ（ＳＷ）と、
非常停止信号遅延回路（１５）とを具備し、
直列接続された第１リレーのノーマルオープン接点（ＲＹ１Ｌ）と第３リレーのノーマルクローズ接点（ＲＹ３Ｌ）と第２リレーのコイル（ＲＹ２Ｍ）とを介してＡＣ／ＤＣコンバータ（１）の一方の入力側ライン（１ａ１）と他方の入力側ライン（１ａ２）とを接続すると共に、第１リレーのノーマルオープン接点（ＲＹ１Ｌ）に対して第２リレーの第２ノーマルオープン接点（ＲＹ２Ｌ）を並列接続し、
第１リレーのコイル（ＲＹ１Ｍ）を介してＡＣ／ＤＣコンバータ（１）の一方の出力側ライン（１ｂ１）と他方の出力側ライン（１ｂ２）とを接続し、
直列接続された第１リレーのノーマルクローズ接点（ＲＹ１Ｒ）と第２リレーの第１ノーマルオープン接点（ＲＹ２Ｒ）とによって故障信号出力回路（１４）の一部を構成し、
直列接続された第３リレーのコイル（ＲＹ３Ｍ）と非常停止スイッチ（ＳＷ）とを介してＡＣ／ＤＣコンバータ（１）の一方の入力側ライン（１ａ１）と他方の入力側ライン（１ａ２）とを接続し、
非常停止スイッチ（ＳＷ）がオフ状態からオン状態に切り換えられると、第３リレーのコイル（ＲＹ３Ｍ）への通電が開始され、それにより、第３リレーのノーマルオープン接点（ＲＹ３Ｒ）がオープン状態からクローズ状態に切り換わり、ＡＣ／ＤＣコンバータ（１）から負荷（１３）への直流電圧の出力を停止すべき旨の非常停止指令が所定の遅延時間の後にＡＣ／ＤＣコンバータ（１）に入力され、それにより、ＡＣ／ＤＣコンバータ（１）から負荷（１３）に直流電圧が出力されなくなるように、非常停止信号遅延回路（１５）とＡＣ／ＤＣコンバータ（１）とを接続し、
交流電源（１１）からＡＣ／ＤＣコンバータ（１）に交流電圧が入力され、非常停止スイッチ（ＳＷ）がオフ状態に維持され、ＡＣ／ＤＣコンバータ（１）から負荷（１３）に直流電圧が出力されると、
第３リレーのコイル（ＲＹ３Ｍ）への通電が遮断された状態で維持され、それにより、第３リレーのノーマルクローズ接点（ＲＹ３Ｌ）がクローズ状態で維持され、
第１リレーのコイル（ＲＹ１Ｍ）への通電が開始され、それにより、第１リレーのノーマルクローズ接点（ＲＹ１Ｒ）がクローズ状態からオープン状態に切り換わると共に、第１リレーのノーマルオープン接点（ＲＹ１Ｌ）がオープン状態からクローズ状態に切り換わり、
それにより、第２リレーのコイル（ＲＹ２Ｍ）への通電が開始され、それにより、第２リレーの第１ノーマルオープン接点（ＲＹ２Ｒ）がオープン状態からクローズ状態に切り換わると共に、第２リレーの第２ノーマルオープン接点（ＲＹ２Ｌ）がオープン状態からクローズ状態に切り換わり、
それにより、ＡＣ／ＤＣコンバータ（１）から負荷（１３）に直流電圧が出力されている間、故障信号出力回路（１４）が開いており、故障信号（ＥＭＧＥＸ）が出力されず、
交流電源（１１）からＡＣ／ＤＣコンバータ（１）に交流電圧が入力され、非常停止スイッチ（ＳＷ）がオフ状態に維持され、ＡＣ／ＤＣコンバータ（１）から負荷（１３）に直流電圧が出力されている状態から、交流電源（１１）からＡＣ／ＤＣコンバータ（１）に交流電圧が入力され、非常停止スイッチ（ＳＷ）がオン状態にされると、
第３リレーのコイル（ＲＹ３Ｍ）への通電が開始され、それにより、第３リレーのノーマルクローズ接点（ＲＹ３Ｌ）がクローズ状態からオープン状態に切り換わり、
それにより、第２リレーのコイル（ＲＹ２Ｍ）への通電が遮断され、それにより、第２リレーの第２ノーマルオープン接点（ＲＹ２Ｌ）がクローズ状態からオープン状態に切り換わると共に、第２リレーの第１ノーマルオープン接点（ＲＹ２Ｒ）がクローズ状態からオープン状態に切り換わり、
それにより、非常停止スイッチ（ＳＷ）がオン状態に維持されている間、故障信号出力回路（１４）が開いており、それにより、ＡＣ／ＤＣコンバータ（１）から負荷（１３）に直流電圧が出力されなくなっても故障信号（ＥＭＧＥＸ）が出力されなくなり、
次いで、所定の遅延時間の後に、ＡＣ／ＤＣコンバータ（１）から負荷（１３）に直流電圧が出力されなくなり、
それにより、第１リレーのコイル（ＲＹ１Ｍ）への通電が遮断され、それにより、第１リレーのノーマルクローズ接点（ＲＹ１Ｒ）がオープン状態からクローズ状態に切り換わると共に、第１リレーのノーマルオープン接点（ＲＹ１Ｌ）がクローズ状態からオープン状態に切り換わり、
交流電源（１１）からＡＣ／ＤＣコンバータ（１）に交流電圧が入力され、非常停止スイッチ（ＳＷ）がオフ状態に維持され、ＡＣ／ＤＣコンバータ（１）から負荷（１３）に直流電圧が出力されている状態から、交流電源（１１）からＡＣ／ＤＣコンバータ（１）に交流電圧が入力され、非常停止スイッチ（ＳＷ）がオフ状態に維持されているにもかかわらず、ＡＣ／ＤＣコンバータ（１）から負荷（１３）に直流電圧が出力されない状態に切り換わると、
第３リレーのコイル（ＲＹ３Ｍ）への通電が遮断された状態で維持され、それにより、第３リレーのノーマルクローズ接点（ＲＹ３Ｌ）がクローズ状態で維持され、
第１リレーのコイル（ＲＹ１Ｍ）への通電が遮断され、それにより、第１リレーのノーマルクローズ接点（ＲＹ１Ｒ）がオープン状態からクローズ状態に切り換わると共に、第１リレーのノーマルオープン接点（ＲＹ１Ｌ）がクローズ状態からオープン状態に切り換わり、
第２リレーの第２ノーマルオープン接点（ＲＹ２Ｌ）がクローズ状態に維持されると共に、第２リレーのコイル（ＲＹ２Ｍ）への通電が維持され、それにより、第２リレーの第１ノーマルオープン接点（ＲＹ２Ｒ）のクローズ状態が維持され、
それにより、故障信号出力回路（１４）が閉じられ、故障信号（ＥＭＧＥＸ）が出力されることを特徴とする電源装置（１０）が提供される。
【００２１】
請求項３に記載の発明によれば、入力された交流電圧を直流電圧に変換して出力するためのＡＣ／ＤＣコンバータ（１）を具備し、
ＡＣ／ＤＣコンバータ（１）の一方の入力側ライン（１ａ１）が交流電源（１１）の一端に接続され、ＡＣ／ＤＣコンバータ（１）の他方の入力側ライン（１ａ２）が交流電源（１１）の他端に接続され、ＡＣ／ＤＣコンバータ（１）の一方の出力側ライン（１ｂ１）が負荷（１３）の一端に接続され、ＡＣ／ＤＣコンバータ（１）の他方の出力側ライン（１ｂ２）が負荷（１３）の他端に接続されるように構成された電源装置（１０）において、
第１リレーのコイル（ＲＹ１Ｍ）と、
第１リレーのコイル（ＲＹ１Ｍ）への通電が開始されるとクローズ状態からオープン状態に切り換わり、第１リレーのコイル（ＲＹ１Ｍ）への通電が遮断されるとオープン状態からクローズ状態に切り換わるノーマルクローズ接点（ＲＹ１Ｒ）と、
第１リレーのコイル（ＲＹ１Ｍ）への通電が開始されるとオープン状態からクローズ状態に切り換わり、第１リレーのコイル（ＲＹ１Ｍ）への通電が遮断されるとクローズ状態からオープン状態に切り換わるノーマルオープン接点（ＲＹ１Ｌ）と、
第２リレーのコイル（ＲＹ２Ｍ）と、
第２リレーのコイル（ＲＹ２Ｍ）への通電が開始されるとオープン状態からクローズ状態に切り換わり、第２リレーのコイル（ＲＹ２Ｍ）への通電が遮断されるとクローズ状態からオープン状態に切り換わる第１ノーマルオープン接点（ＲＹ２Ｒ）と、
第２リレーのコイル（ＲＹ２Ｍ）への通電が開始されるとオープン状態からクローズ状態に切り換わり、第２リレーのコイル（ＲＹ２Ｍ）への通電が遮断されるとクローズ状態からオープン状態に切り換わる第２ノーマルオープン接点（ＲＹ２Ｌ）と、
第３リレーのコイル（ＲＹ３Ｍ）と、
第３リレーのコイル（ＲＹ３Ｍ）への通電が開始されるとクローズ状態からオープン状態に切り換わり、第３リレーのコイル（ＲＹ３Ｍ）への通電が遮断されるとオープン状態からクローズ状態に切り換わるノーマルクローズ接点（ＲＹ３Ｌ）と、
第３リレーのコイル（ＲＹ３Ｍ）への通電が開始されるとオープン状態からクローズ状態に切り換わり、第３リレーのコイル（ＲＹ３Ｍ）への通電が遮断されるとクローズ状態からオープン状態に切り換わるノーマルオープン接点（ＲＹ３Ｒ）と、
第４リレーのコイル（ＲＹ４Ｍ）と、
第４リレーのコイル（ＲＹ４Ｍ）への通電が開始されるとオープン状態からクローズ状態に切り換わり、第４リレーのコイル（ＲＹ４Ｍ）への通電が遮断されるとクローズ状態からオープン状態に切り換わる第１ノーマルオープン接点（ＲＹ４Ｒ）と、
第４リレーのコイル（ＲＹ４Ｍ）への通電が開始されるとオープン状態からクローズ状態に切り換わり、第４リレーのコイル（ＲＹ４Ｍ）への通電が遮断されるとクローズ状態からオープン状態に切り換わる第２ノーマルオープン接点（ＲＹ４Ｌ）と、
非常停止スイッチ（ＳＷ）と、
非常停止信号遅延回路（１５）とを具備し、
直列接続された第１リレーのノーマルオープン接点（ＲＹ１Ｌ）と第３リレーのノーマルクローズ接点（ＲＹ３Ｌ）と第２リレーのコイル（ＲＹ２Ｍ）とを介してＡＣ／ＤＣコンバータ（１）の一方の入力側ライン（１ａ１）と他方の入力側ライン（１ａ２）とを接続し、
直列接続された第１リレーのノーマルオープン接点（ＲＹ１Ｌ）と第３リレーのノーマルクローズ接点（ＲＹ３Ｌ）と第２リレーのコイル（ＲＹ２Ｍ）とに対して、直列接続された第２リレーの第１ノーマルオープン接点（ＲＹ２Ｒ）と第１リレーのノーマルクローズ接点（ＲＹ１Ｒ）と第４リレーのコイル（ＲＹ４Ｍ）とを並列接続し、
第１リレーのノーマルオープン接点（ＲＹ１Ｌ）に対して第２リレーの第２ノーマルオープン接点（ＲＹ２Ｌ）を並列接続し、
第２リレーの第１ノーマルオープン接点（ＲＹ２Ｒ）に対して第４リレーの第２ノーマルオープン接点（ＲＹ４Ｌ）を並列接続し、
第１リレーのコイル（ＲＹ１Ｍ）を介してＡＣ／ＤＣコンバータ（１）の一方の出力側ライン（１ｂ１）と他方の出力側ライン（１ｂ２）とを接続し、
第４リレーの第１ノーマルオープン接点（ＲＹ４Ｒ）によって故障信号出力回路（１４）の一部を構成し、
直列接続された第３リレーのコイル（ＲＹ３Ｍ）と非常停止スイッチ（ＳＷ）とを介してＡＣ／ＤＣコンバータ（１）の一方の入力側ライン（１ａ１）と他方の入力側ライン（１ａ２）とを接続し、
非常停止スイッチ（ＳＷ）がオフ状態からオン状態に切り換えられると、第３リレーのコイル（ＲＹ３Ｍ）への通電が開始され、それにより、第３リレーのノーマルオープン接点（ＲＹ３Ｒ）がオープン状態からクローズ状態に切り換わり、ＡＣ／ＤＣコンバータ（１）から負荷（１３）への直流電圧の出力を停止すべき旨の非常停止指令が所定の遅延時間の後にＡＣ／ＤＣコンバータ（１）に入力され、それにより、ＡＣ／ＤＣコンバータ（１）から負荷（１３）に直流電圧が出力されなくなるように、非常停止信号遅延回路（１５）とＡＣ／ＤＣコンバータ（１）とを接続し、
交流電源（１１）からＡＣ／ＤＣコンバータ（１）に交流電圧が入力され、非常停止スイッチ（ＳＷ）がオフ状態に維持され、ＡＣ／ＤＣコンバータ（１）から負荷（１３）に直流電圧が出力されると、
第３リレーのコイル（ＲＹ３Ｍ）への通電が遮断された状態で維持され、それにより、第３リレーのノーマルクローズ接点（ＲＹ３Ｌ）がクローズ状態で維持され、
第１リレーのコイル（ＲＹ１Ｍ）への通電が開始され、それにより、第１リレーのノーマルクローズ接点（ＲＹ１Ｒ）がクローズ状態からオープン状態に切り換わり、
それにより、第４リレーのコイル（ＲＹ４Ｍ）への通電が遮断された状態で維持され、それにより、第４リレーの第１ノーマルオープン接点（ＲＹ４Ｒ）および第２ノーマルオープン接点（ＲＹ４Ｌ）がオープン状態で維持され、
それにより、ＡＣ／ＤＣコンバータ（１）から負荷（１３）に直流電圧が出力されている間、故障信号出力回路（１４）が開いており、故障信号（ＥＭＧＥＸ）が出力されず、
更に、第１リレーのコイル（ＲＹ１Ｍ）への通電が開始されるのに伴って、第１リレーのノーマルオープン接点（ＲＹ１Ｌ）がオープン状態からクローズ状態に切り換わり、
それにより、第２リレーのコイル（ＲＹ２Ｍ）への通電が開始され、それにより、第２リレーの第１ノーマルオープン接点（ＲＹ２Ｒ）がオープン状態からクローズ状態に切り換わると共に、第２リレーの第２ノーマルオープン接点（ＲＹ２Ｌ）がオープン状態からクローズ状態に切り換わり、
交流電源（１１）からＡＣ／ＤＣコンバータ（１）に交流電圧が入力され、非常停止スイッチ（ＳＷ）がオフ状態に維持され、ＡＣ／ＤＣコンバータ（１）から負荷（１３）に直流電圧が出力されている状態から、交流電源（１１）からＡＣ／ＤＣコンバータ（１）に交流電圧が入力され、非常停止スイッチ（ＳＷ）がオン状態にされると、
第３リレーのコイル（ＲＹ３Ｍ）への通電が開始され、それにより、第３リレーのノーマルクローズ接点（ＲＹ３Ｌ）がクローズ状態からオープン状態に切り換わり、
それにより、第２リレーのコイル（ＲＹ２Ｍ）への通電が遮断され、それにより、第２リレーの第２ノーマルオープン接点（ＲＹ２Ｌ）がクローズ状態からオープン状態に切り換わると共に、第２リレーの第１ノーマルオープン接点（ＲＹ２Ｒ）がクローズ状態からオープン状態に切り換わり、
それにより、非常停止スイッチ（ＳＷ）がオン状態に維持されている間、第４リレーのコイル（ＲＹ４Ｍ）への通電が遮断され、それにより、第４リレーの第１ノーマルオープン接点（ＲＹ４Ｒ）および第２ノーマルオープン接点（ＲＹ４Ｌ）がオープン状態で維持され、それにより、故障信号出力回路（１４）が開いており、それにより、ＡＣ／ＤＣコンバータ（１）から負荷（１３）に直流電圧が出力されなくなっても故障信号（ＥＭＧＥＸ）が出力されなくなり、
次いで、所定の遅延時間の後に、ＡＣ／ＤＣコンバータ（１）から負荷（１３）に直流電圧が出力されなくなり、
それにより、第１リレーのコイル（ＲＹ１Ｍ）への通電が遮断され、それにより、第１リレーのノーマルクローズ接点（ＲＹ１Ｒ）がオープン状態からクローズ状態に切り換わると共に、第１リレーのノーマルオープン接点（ＲＹ１Ｌ）がクローズ状態からオープン状態に切り換わり、
交流電源（１１）からＡＣ／ＤＣコンバータ（１）に交流電圧が入力され、非常停止スイッチ（ＳＷ）がオフ状態に維持され、ＡＣ／ＤＣコンバータ（１）から負荷（１３）に直流電圧が出力されている状態から、交流電源（１１）からＡＣ／ＤＣコンバータ（１）に交流電圧が入力され、非常停止スイッチ（ＳＷ）がオフ状態に維持されているにもかかわらず、ＡＣ／ＤＣコンバータ（１）から負荷（１３）に直流電圧が出力されない状態に切り換わると、
第３リレーのコイル（ＲＹ３Ｍ）への通電が遮断された状態で維持され、それにより、第３リレーのノーマルクローズ接点（ＲＹ３Ｌ）がクローズ状態で維持され、
第１リレーのコイル（ＲＹ１Ｍ）への通電が遮断され、それにより、第１リレーのノーマルクローズ接点（ＲＹ１Ｒ）がオープン状態からクローズ状態に切り換わると共に、第１リレーのノーマルオープン接点（ＲＹ１Ｌ）がクローズ状態からオープン状態に切り換わり、
第２リレーの第２ノーマルオープン接点（ＲＹ２Ｌ）がクローズ状態に維持されると共に、第２リレーのコイル（ＲＹ２Ｍ）への通電が維持され、それにより、第２リレーの第１ノーマルオープン接点（ＲＹ２Ｒ）のクローズ状態が維持され、
それにより、第４リレーのコイル（ＲＹ４Ｍ）への通電が開始され、それにより、第４リレーの第１ノーマルオープン接点（ＲＹ４Ｒ）および第２ノーマルオープン接点（ＲＹ４Ｌ）がオープン状態からクローズ状態に切り換わり、
それにより、故障信号出力回路（１４）が閉じられ、故障信号（ＥＭＧＥＸ）が出力され、
交流電源（１１）からＡＣ／ＤＣコンバータ（１）に交流電圧が入力され、ＡＣ／ＤＣコンバータ（１）から負荷（１３）に直流電圧が出力されず、非常停止スイッチ（ＳＷ）がオフ状態に維持されている状態から、交流電源（１１）からＡＣ／ＤＣコンバータ（１）に交流電圧が入力され、ＡＣ／ＤＣコンバータ（１）から負荷（１３）に直流電圧が出力されず、非常停止スイッチ（ＳＷ）がオン状態に切り換わると、
第１リレーのコイル（ＲＹ１Ｍ）への通電が遮断された状態で維持され、それにより、第１リレーのノーマルクローズ接点（ＲＹ１Ｒ）がクローズ状態に維持されると共に、第１リレーのノーマルオープン接点（ＲＹ１Ｌ）がオープン状態に維持され、
第４リレーの第２ノーマルオープン接点（ＲＹ４Ｌ）がクローズ状態に維持されると共に、第４リレーのコイル（ＲＹ４Ｍ）への通電が維持され、それにより、第４リレーの第１ノーマルオープン接点（ＲＹ４Ｒ）のクローズ状態が維持され、
それにより、故障信号出力回路（１４）が閉じられた状態が維持され、故障信号（ＥＭＧＥＸ）が出力され続けることを特徴とする電源装置（１０）が提供される。
【発明の効果】
【００２２】
請求項１に記載の電源装置（１０）では、入力された交流電圧を直流電圧に変換して出力するためのＡＣ／ＤＣコンバータ（１）が設けられている。更に、ＡＣ／ＤＣコンバータ（１）の一方の入力側ライン（１ａ１）が交流電源（１１）の一端に接続され、ＡＣ／ＤＣコンバータ（１）の他方の入力側ライン（１ａ２）が交流電源（１１）の他端に接続され、ＡＣ／ＤＣコンバータ（１）の一方の出力側ライン（１ｂ１）が負荷（１３）の一端に接続され、ＡＣ／ＤＣコンバータ（１）の他方の出力側ライン（１ｂ２）が負荷（１３）の他端に接続されている。
【００２３】
詳細には、請求項１に記載の電源装置（１０）では、コイル（ＲＹ１Ｍ）と、そのコイル（ＲＹ１Ｍ）への通電が開始されるとクローズ状態からオープン状態に切り換わり、そのコイル（ＲＹ１Ｍ）への通電が遮断されるとオープン状態からクローズ状態に切り換わるノーマルクローズ接点（ＲＹ１Ｒ）と、そのコイル（ＲＹ１Ｍ）への通電が開始されるとオープン状態からクローズ状態に切り換わり、そのコイル（ＲＹ１Ｍ）への通電が遮断されるとクローズ状態からオープン状態に切り換わるノーマルオープン接点（ＲＹ１Ｌ）とによって、第１リレーが構成されている。
【００２４】
また、請求項１に記載の電源装置（１０）では、コイル（ＲＹ２Ｍ）と、そのコイル（ＲＹ２Ｍ）への通電が開始されるとオープン状態からクローズ状態に切り換わり、そのコイル（ＲＹ２Ｍ）への通電が遮断されるとクローズ状態からオープン状態に切り換わる第１ノーマルオープン接点（ＲＹ２Ｒ）と、そのコイル（ＲＹ２Ｍ）への通電が開始されるとオープン状態からクローズ状態に切り換わり、そのコイル（ＲＹ２Ｍ）への通電が遮断されるとクローズ状態からオープン状態に切り換わる第２ノーマルオープン接点（ＲＹ２Ｌ）とによって、第２リレーが構成されている。
【００２５】
更に、請求項１に記載の電源装置（１０）では、直列接続された第１リレーのノーマルオープン接点（ＲＹ１Ｌ）と第２リレーのコイル（ＲＹ２Ｍ）とを介してＡＣ／ＤＣコンバータ（１）の一方の入力側ライン（１ａ１）と他方の入力側ライン（１ａ２）とが接続されている。また、第１リレーのノーマルオープン接点（ＲＹ１Ｌ）に対して第２リレーの第２ノーマルオープン接点（ＲＹ２Ｌ）が並列接続されている。
【００２６】
また、請求項１に記載の電源装置（１０）では、第１リレーのコイル（ＲＹ１Ｍ）を介してＡＣ／ＤＣコンバータ（１）の一方の出力側ライン（１ｂ１）と他方の出力側ライン（１ｂ２）とが接続されている。更に、直列接続された第１リレーのノーマルクローズ接点（ＲＹ１Ｒ）と第２リレーの第１ノーマルオープン接点（ＲＹ２Ｒ）とによって故障信号出力回路（１４）の一部が構成されている。
【００２７】
更に、請求項１に記載の電源装置（１０）では、交流電源（１１）からＡＣ／ＤＣコンバータ（１）に交流電圧が入力され、ＡＣ／ＤＣコンバータ（１）から負荷（１３）に直流電圧が出力されると、第１リレーのコイル（ＲＹ１Ｍ）への通電が開始され、それにより、第１リレーのノーマルクローズ接点（ＲＹ１Ｒ）がクローズ状態からオープン状態に切り換わると共に、第１リレーのノーマルオープン接点（ＲＹ１Ｌ）がオープン状態からクローズ状態に切り換わる。
【００２８】
それにより、第２リレーのコイル（ＲＹ２Ｍ）への通電が開始され、それにより、第２リレーの第１ノーマルオープン接点（ＲＹ２Ｒ）がオープン状態からクローズ状態に切り換わると共に、第２リレーの第２ノーマルオープン接点（ＲＹ２Ｌ）がオープン状態からクローズ状態に切り換わる。それにより、ＡＣ／ＤＣコンバータ（１）から負荷（１３）に直流電圧が出力されている間、故障信号出力回路（１４）が開いており、故障信号（ＥＭＧＥＸ）が出力されない。
【００２９】
次いで、請求項１に記載の電源装置（１０）では、交流電源（１１）からＡＣ／ＤＣコンバータ（１）に交流電圧が入力されているにもかかわらず、ＡＣ／ＤＣコンバータ（１）から負荷（１３）に直流電圧が出力されなくなると、第１リレーのコイル（ＲＹ１Ｍ）への通電が遮断され、それにより、第１リレーのノーマルクローズ接点（ＲＹ１Ｒ）がオープン状態からクローズ状態に切り換わると共に、第１リレーのノーマルオープン接点（ＲＹ１Ｌ）がクローズ状態からオープン状態に切り換わる。
【００３０】
更に、第２リレーの第２ノーマルオープン接点（ＲＹ２Ｌ）がクローズ状態に維持されると共に、第２リレーのコイル（ＲＹ２Ｍ）への通電が維持され、それにより、第２リレーの第１ノーマルオープン接点（ＲＹ２Ｒ）のクローズ状態が維持される。それにより、故障信号出力回路（１４）が閉じられ、故障信号（ＥＭＧＥＸ）が出力される。
【００３１】
換言すれば、請求項１に記載の電源装置（１０）では、ＡＣ／ＤＣコンバータ（１）の一方の入力側ライン（１ａ１）とＡＣ／ＤＣコンバータ（１）の他方の入力側ライン（１ａ２）との間に、第２リレーのコイル（ＲＹ２Ｍ）と第１リレーのノーマルオープン接点（ＲＹ１Ｌ）と第２リレーの第２ノーマルオープン接点（ＲＹ２Ｌ）とが設けられているものの、電源が別個に設けられていない。
【００３２】
更に、請求項１に記載の電源装置（１０）では、ＡＣ／ＤＣコンバータ（１）の一方の出力側ライン（１ｂ１）とＡＣ／ＤＣコンバータ（１）の他方の出力側ライン（１ｂ２）との間に、第１リレーのコイル（ＲＹ１Ｍ）が設けられているものの、電源が別個に設けられていない。
【００３３】
そのため、請求項１に記載の電源装置（１０）によれば、ＡＣ／ＤＣコンバータの入力側ラインの監視回路に電源が別個に設けられると共に、ＡＣ／ＤＣコンバータの出力側ラインの監視回路に電源が別個に設けられている特開２００７−２６７５０１号公報の図２に記載された電源装置よりも、ＡＣ／ＤＣコンバータ（１）の入力側ライン（１ａ１，１ａ２）および出力側ライン（１ｂ１，１ｂ２）の監視回路用に別個に設けられる電源の数を低減することができる。
【００３４】
詳細には、請求項１に記載の電源装置（１０）によれば、特開２００７−２６７５０１号公報の図２に記載された電源装置よりも、ＡＣ／ＤＣコンバータ（１）の入力側ライン（１ａ１，１ａ２）および出力側ライン（１ｂ１，１ｂ２）の監視回路用に別個に設けられる電源の数を低減することにより、ＡＣ／ＤＣコンバータ（１）の入力側ライン（１ａ１，１ａ２）および出力側ライン（１ｂ１，１ｂ２）の監視回路の信頼性を向上させることができる。
【００３５】
また、請求項１に記載の電源装置（１０）によれば、特開２００７−２６７５０１号公報の図２に記載された電源装置よりも、ＡＣ／ＤＣコンバータ（１）の入力側ライン（１ａ１，１ａ２）および出力側ライン（１ｂ１，１ｂ２）の監視回路用に別個に設けられる電源の数を低減することにより、ＡＣ／ＤＣコンバータ（１）の入力側ライン（１ａ１，１ａ２）および出力側ライン（１ｂ１，１ｂ２）の監視回路のコストを抑制することができる。
【００３６】
更に、請求項１に記載の電源装置（１０）によれば、ＡＣ／ＤＣコンバータの入力側ラインの監視回路にコンパレータが設けられると共に、ＡＣ／ＤＣコンバータの出力側ラインの監視回路にコンパレータが設けられている特開２００７−２６７５０１号公報の図２に記載された電源装置よりも、ＡＣ／ＤＣコンバータ（１）の入力側ライン（１ａ１，１ａ２）および出力側ライン（１ｂ１，１ｂ２）の監視回路の構成部品（ＲＹ１Ｍ，ＲＹ１Ｌ，ＲＹ１Ｒ，ＲＹ２Ｍ，ＲＹ２Ｌ，ＲＹ２Ｒ）が故障しているか否かの判別を容易にすることができる。
【００３７】
すなわち、請求項１に記載の電源装置（１０）によれば、特開２００７−２６７５０１号公報の図２に記載された電源装置よりも、ＡＣ／ＤＣコンバータ（１）の入力側ライン（１ａ１，１ａ２）および出力側ライン（１ｂ１，１ｂ２）の監視回路の信頼性を向上させると共に、コストを抑制することができる。
【００３８】
請求項２に記載の電源装置（１０）では、入力された交流電圧を直流電圧に変換して出力するためのＡＣ／ＤＣコンバータ（１）が設けられている。更に、ＡＣ／ＤＣコンバータ（１）の一方の入力側ライン（１ａ１）が交流電源（１１）の一端に接続され、ＡＣ／ＤＣコンバータ（１）の他方の入力側ライン（１ａ２）が交流電源（１１）の他端に接続され、ＡＣ／ＤＣコンバータ（１）の一方の出力側ライン（１ｂ１）が負荷（１３）の一端に接続され、ＡＣ／ＤＣコンバータ（１）の他方の出力側ライン（１ｂ２）が負荷（１３）の他端に接続されている。
【００３９】
詳細には、請求項２に記載の電源装置（１０）では、コイル（ＲＹ１Ｍ）と、そのコイル（ＲＹ１Ｍ）への通電が開始されるとクローズ状態からオープン状態に切り換わり、そのコイル（ＲＹ１Ｍ）への通電が遮断されるとオープン状態からクローズ状態に切り換わるノーマルクローズ接点（ＲＹ１Ｒ）と、そのコイル（ＲＹ１Ｍ）への通電が開始されるとオープン状態からクローズ状態に切り換わり、そのコイル（ＲＹ１Ｍ）への通電が遮断されるとクローズ状態からオープン状態に切り換わるノーマルオープン接点（ＲＹ１Ｌ）とによって、第１リレーが構成されている。
【００４０】
更に、請求項２に記載の電源装置（１０）では、コイル（ＲＹ２Ｍ）と、そのコイル（ＲＹ２Ｍ）への通電が開始されるとオープン状態からクローズ状態に切り換わり、そのコイル（ＲＹ２Ｍ）への通電が遮断されるとクローズ状態からオープン状態に切り換わる第１ノーマルオープン接点（ＲＹ２Ｒ）と、そのコイル（ＲＹ２Ｍ）への通電が開始されるとオープン状態からクローズ状態に切り換わり、そのコイル（ＲＹ２Ｍ）への通電が遮断されるとクローズ状態からオープン状態に切り換わる第２ノーマルオープン接点（ＲＹ２Ｌ）とによって、第２リレーが構成されている。
【００４１】
また、請求項２に記載の電源装置（１０）では、コイル（ＲＹ３Ｍ）と、そのコイル（ＲＹ３Ｍ）への通電が開始されるとクローズ状態からオープン状態に切り換わり、そのコイル（ＲＹ３Ｍ）への通電が遮断されるとオープン状態からクローズ状態に切り換わるノーマルクローズ接点（ＲＹ３Ｌ）と、そのコイル（ＲＹ３Ｍ）への通電が開始されるとオープン状態からクローズ状態に切り換わり、そのコイル（ＲＹ３Ｍ）への通電が遮断されるとクローズ状態からオープン状態に切り換わるノーマルオープン接点（ＲＹ３Ｒ）とによって、第３リレーが構成されている。
【００４２】
更に、請求項２に記載の電源装置（１０）では、非常停止スイッチ（ＳＷ）と、非常停止信号遅延回路（１５）とが設けられている。
【００４３】
また、請求項２に記載の電源装置（１０）では、直列接続された第１リレーのノーマルオープン接点（ＲＹ１Ｌ）と第３リレーのノーマルクローズ接点（ＲＹ３Ｌ）と第２リレーのコイル（ＲＹ２Ｍ）とを介してＡＣ／ＤＣコンバータ（１）の一方の入力側ライン（１ａ１）と他方の入力側ライン（１ａ２）とが接続されている。更に、第１リレーのノーマルオープン接点（ＲＹ１Ｌ）に対して第２リレーの第２ノーマルオープン接点（ＲＹ２Ｌ）が並列接続されている。
【００４４】
更に、請求項２に記載の電源装置（１０）では、第１リレーのコイル（ＲＹ１Ｍ）を介してＡＣ／ＤＣコンバータ（１）の一方の出力側ライン（１ｂ１）と他方の出力側ライン（１ｂ２）とが接続されている。
【００４５】
また、請求項２に記載の電源装置（１０）では、直列接続された第１リレーのノーマルクローズ接点（ＲＹ１Ｒ）と第２リレーの第１ノーマルオープン接点（ＲＹ２Ｒ）とによって故障信号出力回路（１４）の一部が構成されている。更に、直列接続された第３リレーのコイル（ＲＹ３Ｍ）と非常停止スイッチ（ＳＷ）とを介してＡＣ／ＤＣコンバータ（１）の一方の入力側ライン（１ａ１）と他方の入力側ライン（１ａ２）とが接続されている。
【００４６】
更に、請求項２に記載の電源装置（１０）では、非常停止スイッチ（ＳＷ）がオフ状態からオン状態に切り換えられると、第３リレーのコイル（ＲＹ３Ｍ）への通電が開始され、それにより、第３リレーのノーマルオープン接点（ＲＹ３Ｒ）がオープン状態からクローズ状態に切り換わり、ＡＣ／ＤＣコンバータ（１）から負荷（１３）への直流電圧の出力を停止すべき旨の非常停止指令が所定の遅延時間の後にＡＣ／ＤＣコンバータ（１）に入力され、それにより、ＡＣ／ＤＣコンバータ（１）から負荷（１３）に直流電圧が出力されなくなるように、非常停止信号遅延回路（１５）とＡＣ／ＤＣコンバータ（１）とが接続されている。
【００４７】
また、請求項２に記載の電源装置（１０）では、交流電源（１１）からＡＣ／ＤＣコンバータ（１）に交流電圧が入力され、非常停止スイッチ（ＳＷ）がオフ状態に維持され、ＡＣ／ＤＣコンバータ（１）から負荷（１３）に直流電圧が出力されると、第３リレーのコイル（ＲＹ３Ｍ）への通電が遮断された状態で維持され、それにより、第３リレーのノーマルクローズ接点（ＲＹ３Ｌ）がクローズ状態で維持される。
【００４８】
更に、第１リレーのコイル（ＲＹ１Ｍ）への通電が開始され、それにより、第１リレーのノーマルクローズ接点（ＲＹ１Ｒ）がクローズ状態からオープン状態に切り換わると共に、第１リレーのノーマルオープン接点（ＲＹ１Ｌ）がオープン状態からクローズ状態に切り換わる。
【００４９】
それにより、第２リレーのコイル（ＲＹ２Ｍ）への通電が開始され、それにより、第２リレーの第１ノーマルオープン接点（ＲＹ２Ｒ）がオープン状態からクローズ状態に切り換わると共に、第２リレーの第２ノーマルオープン接点（ＲＹ２Ｌ）がオープン状態からクローズ状態に切り換わる。それにより、ＡＣ／ＤＣコンバータ（１）から負荷（１３）に直流電圧が出力されている間、故障信号出力回路（１４）が開いており、故障信号（ＥＭＧＥＸ）が出力されない。
【００５０】
更に、請求項２に記載の電源装置（１０）では、「交流電源（１１）からＡＣ／ＤＣコンバータ（１）に交流電圧が入力され、非常停止スイッチ（ＳＷ）がオフに維持され、ＡＣ／ＤＣコンバータ（１）から負荷（１３）に直流電圧が出力されている」状態から、「交流電源（１１）からＡＣ／ＤＣコンバータ（１）に交流電圧が入力され、非常停止スイッチ（ＳＷ）がオンになる」状態に切り換えられると、第３リレーのコイル（ＲＹ３Ｍ）への通電が開始され、それにより、第３リレーのノーマルクローズ接点（ＲＹ３Ｌ）がクローズ状態からオープン状態に切り換わる。
【００５１】
それにより、第２リレーのコイル（ＲＹ２Ｍ）への通電が遮断され、それにより、第２リレーの第２ノーマルオープン接点（ＲＹ２Ｌ）がクローズ状態からオープン状態に切り換わると共に、第２リレーの第１ノーマルオープン接点（ＲＹ２Ｒ）がクローズ状態からオープン状態に切り換わる。それにより、非常停止スイッチ（ＳＷ）がオン状態に維持されている間、故障信号出力回路（１４）が開いており、それにより、ＡＣ／ＤＣコンバータ（１）から負荷（１３）に直流電圧が出力されなくなっても故障信号（ＥＭＧＥＸ）が出力されなくなる。
【００５２】
次いで、請求項２に記載の電源装置（１０）では、所定の遅延時間の後に、ＡＣ／ＤＣコンバータ（１）から負荷（１３）に直流電圧が出力されなくなる。それにより、第１リレーのコイル（ＲＹ１Ｍ）への通電が遮断され、それにより、第１リレーのノーマルクローズ接点（ＲＹ１Ｒ）がオープン状態からクローズ状態に切り換わると共に、第１リレーのノーマルオープン接点（ＲＹ１Ｌ）がクローズ状態からオープン状態に切り換わる。
【００５３】
更に、請求項２に記載の電源装置（１０）では、「交流電源（１１）からＡＣ／ＤＣコンバータ（１）に交流電圧が入力され、非常停止スイッチ（ＳＷ）がオフに維持され、ＡＣ／ＤＣコンバータ（１）から負荷（１３）に直流電圧が出力されている」状態から、「交流電源（１１）からＡＣ／ＤＣコンバータ（１）に交流電圧が入力され、非常停止スイッチ（ＳＷ）がオフに維持されているにもかかわらず、ＡＣ／ＤＣコンバータ（１）から負荷（１３）に直流電圧が出力されない」状態に切り換わると、第３リレーのコイル（ＲＹ３Ｍ）への通電が遮断された状態で維持され、それにより、第３リレーのノーマルクローズ接点（ＲＹ３Ｌ）がクローズ状態で維持される。
【００５４】
更に、第１リレーのコイル（ＲＹ１Ｍ）への通電が遮断され、それにより、第１リレーのノーマルクローズ接点（ＲＹ１Ｒ）がオープン状態からクローズ状態に切り換わると共に、第１リレーのノーマルオープン接点（ＲＹ１Ｌ）がクローズ状態からオープン状態に切り換わる。また、第２リレーの第２ノーマルオープン接点（ＲＹ２Ｌ）がクローズ状態に維持されると共に、第２リレーのコイル（ＲＹ２Ｍ）への通電が維持され、それにより、第２リレーの第１ノーマルオープン接点（ＲＹ２Ｒ）のクローズ状態が維持される。それにより、故障信号出力回路（１４）が閉じられ、故障信号（ＥＭＧＥＸ）が出力される。
【００５５】
換言すれば、請求項２に記載の電源装置（１０）では、ＡＣ／ＤＣコンバータ（１）の一方の入力側ライン（１ａ１）とＡＣ／ＤＣコンバータ（１）の他方の入力側ライン（１ａ２）との間に、第２リレーのコイル（ＲＹ２Ｍ）と第１リレーのノーマルオープン接点（ＲＹ１Ｌ）と第２リレーの第２ノーマルオープン接点（ＲＹ２Ｌ）と第３リレーのコイル（ＲＹ３Ｍ）と第３リレーのノーマルクローズ接点（ＲＹ３Ｌ）と非常停止スイッチ（ＳＷ）と非常停止信号遅延回路（１５）とが設けられているものの、電源が別個に設けられていない。
【００５６】
更に、請求項２に記載の電源装置（１０）では、ＡＣ／ＤＣコンバータ（１）の一方の出力側ライン（１ｂ１）とＡＣ／ＤＣコンバータ（１）の他方の出力側ライン（１ｂ２）との間に、第１リレーのコイル（ＲＹ１Ｍ）が設けられているものの、電源が別個に設けられていない。
【００５７】
そのため、請求項２に記載の電源装置（１０）によれば、ＡＣ／ＤＣコンバータの入力側ラインの監視回路に別個に電源が設けられると共に、ＡＣ／ＤＣコンバータの出力側ラインの監視回路に別個に電源が設けられている特開２００７−２６７５０１号公報の図２に記載された電源装置よりも、ＡＣ／ＤＣコンバータ（１）の入力側ライン（１ａ１，１ａ２）および出力側ライン（１ｂ１，１ｂ２）の監視回路用に別個に設けられる電源の数を低減することができる。
【００５８】
詳細には、請求項２に記載の電源装置（１０）によれば、特開２００７−２６７５０１号公報の図２に記載された電源装置よりも、ＡＣ／ＤＣコンバータ（１）の入力側ライン（１ａ１，１ａ２）および出力側ライン（１ｂ１，１ｂ２）の監視回路用に別個に設けられる電源の数を低減することにより、ＡＣ／ＤＣコンバータ（１）の入力側ライン（１ａ１，１ａ２）および出力側ライン（１ｂ１，１ｂ２）の監視回路の信頼性を向上させることができる。
【００５９】
また、請求項２に記載の電源装置（１０）によれば、特開２００７−２６７５０１号公報の図２に記載された電源装置よりも、ＡＣ／ＤＣコンバータ（１）の入力側ライン（１ａ１，１ａ２）および出力側ライン（１ｂ１，１ｂ２）の監視回路用に別個に設けられる電源の数を低減することにより、ＡＣ／ＤＣコンバータ（１）の入力側ライン（１ａ１，１ａ２）および出力側ライン（１ｂ１，１ｂ２）の監視回路のコストを抑制することができる。
【００６０】
更に、請求項２に記載の電源装置（１０）によれば、ＡＣ／ＤＣコンバータの入力側ラインの監視回路にコンパレータが設けられると共に、ＡＣ／ＤＣコンバータの出力側ラインの監視回路にコンパレータが設けられている特開２００７−２６７５０１号公報の図２に記載された電源装置よりも、ＡＣ／ＤＣコンバータ（１）の入力側ライン（１ａ１，１ａ２）および出力側ライン（１ｂ１，１ｂ２）の監視回路の構成部品（ＲＹ１Ｍ，ＲＹ１Ｌ，ＲＹ１Ｒ，ＲＹ２Ｍ，ＲＹ２Ｌ，ＲＹ２Ｒ，ＲＹ３Ｍ，ＲＹ３Ｌ，ＲＹ３Ｒ，ＳＷ，１５）が故障しているか否かの判別を容易にすることができる。
【００６１】
すなわち、請求項２に記載の電源装置（１０）によれば、特開２００７−２６７５０１号公報の図２に記載された電源装置よりも、ＡＣ／ＤＣコンバータ（１）の入力側ライン（１ａ１，１ａ２）および出力側ライン（１ｂ１，１ｂ２）の監視回路の信頼性を向上させると共に、コストを抑制することができる。
【００６２】
更に、請求項２に記載の電源装置（１０）によれば、非常停止スイッチ（ＳＷ）がオン状態にされるのに伴ってＡＣ／ＤＣコンバータ（１）から負荷（１３）に直流電圧が出力されない時に故障信号（ＥＭＧＥＸ）が出力されてしまうのを回避することができる。
【００６３】
請求項３に記載の電源装置（１０）では、入力された交流電圧を直流電圧に変換して出力するためのＡＣ／ＤＣコンバータ（１）が設けられている。更に、ＡＣ／ＤＣコンバータ（１）の一方の入力側ライン（１ａ１）が交流電源（１１）の一端に接続され、ＡＣ／ＤＣコンバータ（１）の他方の入力側ライン（１ａ２）が交流電源（１１）の他端に接続され、ＡＣ／ＤＣコンバータ（１）の一方の出力側ライン（１ｂ１）が負荷（１３）の一端に接続され、ＡＣ／ＤＣコンバータ（１）の他方の出力側ライン（１ｂ２）が負荷（１３）の他端に接続されている。
【００６４】
詳細には、請求項３に記載の電源装置（１０）では、コイル（ＲＹ１Ｍ）と、そのコイル（ＲＹ１Ｍ）への通電が開始されるとクローズ状態からオープン状態に切り換わり、そのコイル（ＲＹ１Ｍ）への通電が遮断されるとオープン状態からクローズ状態に切り換わるノーマルクローズ接点（ＲＹ１Ｒ）と、そのコイル（ＲＹ１Ｍ）への通電が開始されるとオープン状態からクローズ状態に切り換わり、そのコイル（ＲＹ１Ｍ）への通電が遮断されるとクローズ状態からオープン状態に切り換わるノーマルオープン接点（ＲＹ１Ｌ）とによって、第１リレーが構成されている。
【００６５】
また、請求項３に記載の電源装置（１０）では、コイル（ＲＹ２Ｍ）と、そのコイル（ＲＹ２Ｍ）への通電が開始されるとオープン状態からクローズ状態に切り換わり、そのコイル（ＲＹ２Ｍ）への通電が遮断されるとクローズ状態からオープン状態に切り換わる第１ノーマルオープン接点（ＲＹ２Ｒ）と、そのコイル（ＲＹ２Ｍ）への通電が開始されるとオープン状態からクローズ状態に切り換わり、そのコイル（ＲＹ２Ｍ）への通電が遮断されるとクローズ状態からオープン状態に切り換わる第２ノーマルオープン接点（ＲＹ２Ｌ）とによって、第２リレーが構成されている。
【００６６】
更に、請求項３に記載の電源装置（１０）では、コイル（ＲＹ３Ｍ）と、そのコイル（ＲＹ３Ｍ）への通電が開始されるとクローズ状態からオープン状態に切り換わり、そのコイル（ＲＹ３Ｍ）への通電が遮断されるとオープン状態からクローズ状態に切り換わるノーマルクローズ接点（ＲＹ３Ｌ）と、そのコイル（ＲＹ３Ｍ）への通電が開始されるとオープン状態からクローズ状態に切り換わり、そのコイル（ＲＹ３Ｍ）への通電が遮断されるとクローズ状態からオープン状態に切り換わるノーマルオープン接点（ＲＹ３Ｒ）とによって、第３リレーが構成されている。
【００６７】
また、請求項３に記載の電源装置（１０）では、コイル（ＲＹ４Ｍ）と、そのコイル（ＲＹ４Ｍ）への通電が開始されるとオープン状態からクローズ状態に切り換わり、そのコイル（ＲＹ４Ｍ）への通電が遮断されるとクローズ状態からオープン状態に切り換わる第１ノーマルオープン接点（ＲＹ４Ｒ）と、そのコイル（ＲＹ４Ｍ）への通電が開始されるとオープン状態からクローズ状態に切り換わり、そのコイル（ＲＹ４Ｍ）への通電が遮断されるとクローズ状態からオープン状態に切り換わる第２ノーマルオープン接点（ＲＹ４Ｌ）とによって、第４リレーが構成されている。
【００６８】
更に、請求項３に記載の電源装置（１０）では、非常停止スイッチ（ＳＷ）と、非常信号停止遅延回路（１５）とが設けられている。
【００６９】
また、請求項３に記載の電源装置（１０）では、直列接続された第１リレーのノーマルオープン接点（ＲＹ１Ｌ）と第３リレーのノーマルクローズ接点（ＲＹ３Ｌ）と第２リレーのコイル（ＲＹ２Ｍ）とを介してＡＣ／ＤＣコンバータ（１）の一方の入力側ライン（１ａ１）と他方の入力側ライン（１ａ２）とが接続されている。
【００７０】
更に、請求項３に記載の電源装置（１０）では、直列接続された第１リレーのノーマルオープン接点（ＲＹ１Ｌ）と第３リレーのノーマルクローズ接点（ＲＹ３Ｌ）と第２リレーのコイル（ＲＹ２Ｍ）とに対して、直列接続された第２リレーの第１ノーマルオープン接点（ＲＹ２Ｒ）と第１リレーのノーマルクローズ接点（ＲＹ１Ｒ）と第４リレーのコイル（ＲＹ４Ｍ）とが並列接続されている。
【００７１】
また、請求項３に記載の電源装置（１０）では、第１リレーのノーマルオープン接点（ＲＹ１Ｌ）に対して第２リレーの第２ノーマルオープン接点（ＲＹ２Ｌ）が並列接続されている。更に、第２リレーの第１ノーマルオープン接点（ＲＹ２Ｒ）に対して第４リレーの第２ノーマルオープン接点（ＲＹ４Ｌ）が並列接続されている。
【００７２】
更に、請求項３に記載の電源装置（１０）では、第１リレーのコイル（ＲＹ１Ｍ）を介してＡＣ／ＤＣコンバータ（１）の一方の出力側ライン（１ｂ１）と他方の出力側ライン（１ｂ２）とが接続されている。また、第４リレーの第１ノーマルオープン接点（ＲＹ４Ｒ）によって故障信号出力回路（１４）の一部が構成されている。更に、直列接続された第３リレーのコイル（ＲＹ３Ｍ）と非常停止スイッチ（ＳＷ）とを介してＡＣ／ＤＣコンバータ（１）の一方の入力側ライン（１ａ１）と他方の入力側ライン（１ａ２）とが接続されている。
【００７３】
また、請求項３に記載の電源装置（１０）では、非常停止スイッチ（ＳＷ）がオフ状態からオン状態に切り換えられると、第３リレーのコイル（ＲＹ３Ｍ）への通電が開始され、それにより、第３リレーのノーマルオープン接点（ＲＹ３Ｒ）がオープン状態からクローズ状態に切り換わり、ＡＣ／ＤＣコンバータ（１）から負荷（１３）への直流電圧の出力を停止すべき旨の非常停止指令が所定の遅延時間の後にＡＣ／ＤＣコンバータ（１）に入力され、それにより、ＡＣ／ＤＣコンバータ（１）から負荷（１３）に直流電圧が出力されなくなるように、非常停止信号遅延回路（１５）とＡＣ／ＤＣコンバータ（１）とが接続されている。
【００７４】
更に、請求項３に記載の電源装置（１０）では、交流電源（１１）からＡＣ／ＤＣコンバータ（１）に交流電圧が入力され、非常停止スイッチ（ＳＷ）がオフ状態に維持され、ＡＣ／ＤＣコンバータ（１）から負荷（１３）に直流電圧が出力されると、第３リレーのコイル（ＲＹ３Ｍ）への通電が遮断された状態で維持され、それにより、第３リレーのノーマルクローズ接点（ＲＹ３Ｌ）がクローズ状態で維持される。
【００７５】
更に、第１リレーのコイル（ＲＹ１Ｍ）への通電が開始され、それにより、第１リレーのノーマルクローズ接点（ＲＹ１Ｒ）がクローズ状態からオープン状態に切り換わる。それにより、第４リレーのコイル（ＲＹ４Ｍ）への通電が遮断された状態で維持され、それにより、第４リレーの第１ノーマルオープン接点（ＲＹ４Ｒ）および第２ノーマルオープン接点（ＲＹ４Ｌ）がオープン状態で維持される。それにより、ＡＣ／ＤＣコンバータ（１）から負荷（１３）に直流電圧が出力されている間、故障信号出力回路（１４）が開いており、故障信号（ＥＭＧＥＸ）が出力されない。
【００７６】
更に、第１リレーのコイル（ＲＹ１Ｍ）への通電が開始されるのに伴って、第１リレーのノーマルオープン接点（ＲＹ１Ｌ）がオープン状態からクローズ状態に切り換わる。それにより、第２リレーのコイル（ＲＹ２Ｍ）への通電が開始され、それにより、第２リレーの第１ノーマルオープン接点（ＲＹ２Ｒ）がオープン状態からクローズ状態に切り換わると共に、第２リレーの第２ノーマルオープン接点（ＲＹ２Ｌ）がオープン状態からクローズ状態に切り換わる。
【００７７】
また、請求項３に記載の電源装置（１０）では、「交流電源（１１）からＡＣ／ＤＣコンバータ（１）に交流電圧が入力され、非常停止スイッチ（ＳＷ）がオフに維持され、ＡＣ／ＤＣコンバータ（１）から負荷（１３）に直流電圧が出力されている」状態から、「交流電源（１１）からＡＣ／ＤＣコンバータ（１）に交流電圧が入力され、非常停止スイッチ（ＳＷ）がオンになる」状態にされると、第３リレーのコイル（ＲＹ３Ｍ）への通電が開始され、それにより、第３リレーのノーマルクローズ接点（ＲＹ３Ｌ）がクローズ状態からオープン状態に切り換わる。
【００７８】
それにより、第２リレーのコイル（ＲＹ２Ｍ）への通電が遮断され、それにより、第２リレーの第２ノーマルオープン接点（ＲＹ２Ｌ）がクローズ状態からオープン状態に切り換わると共に、第２リレーの第１ノーマルオープン接点（ＲＹ２Ｒ）がクローズ状態からオープン状態に切り換わる。
【００７９】
それにより、非常停止スイッチ（ＳＷ）がオン状態に維持されている間、第４リレーのコイル（ＲＹ４Ｍ）への通電が遮断され、それにより、第４リレーの第１ノーマルオープン接点（ＲＹ４Ｒ）および第２ノーマルオープン接点（ＲＹ４Ｌ）がオープン状態で維持される。それにより、故障信号出力回路（１４）が開いており、それにより、ＡＣ／ＤＣコンバータ（１）から負荷（１３）に直流電圧が出力されなくなっても故障信号（ＥＭＧＥＸ）が出力されなくなる。
【００８０】
次いで、請求項３に記載の電源装置（１０）では、所定の遅延時間の後に、ＡＣ／ＤＣコンバータ（１）から負荷（１３）に直流電圧が出力されなくなる。それにより、第１リレーのコイル（ＲＹ１Ｍ）への通電が遮断され、それにより、第１リレーのノーマルクローズ接点（ＲＹ１Ｒ）がオープン状態からクローズ状態に切り換わると共に、第１リレーのノーマルオープン接点（ＲＹ１Ｌ）がクローズ状態からオープン状態に切り換わる。
【００８１】
更に、請求項３に記載の電源装置（１０）では、「交流電源（１１）からＡＣ／ＤＣコンバータ（１）に交流電圧が入力され、非常停止スイッチ（ＳＷ）がオフに維持され、ＡＣ／ＤＣコンバータ（１）から負荷（１３）に直流電圧が出力されている」状態から、「交流電源（１１）からＡＣ／ＤＣコンバータ（１）に交流電圧が入力され、非常停止スイッチ（ＳＷ）がオフに維持されているにもかかわらず、ＡＣ／ＤＣコンバータ（１）から負荷（１３）に直流電圧が出力されない」状態に切り換わると、第３リレーのコイル（ＲＹ３Ｍ）への通電が遮断された状態で維持され、それにより、第３リレーのノーマルクローズ接点（ＲＹ３Ｌ）がクローズ状態で維持される。
【００８２】
更に、第１リレーのコイル（ＲＹ１Ｍ）への通電が遮断される。それにより、第１リレーのノーマルクローズ接点（ＲＹ１Ｒ）がオープン状態からクローズ状態に切り換わると共に、第１リレーのノーマルオープン接点（ＲＹ１Ｌ）がクローズ状態からオープン状態に切り換わる。また、第２リレーの第２ノーマルオープン接点（ＲＹ２Ｌ）がクローズ状態に維持されると共に、第２リレーのコイル（ＲＹ２Ｍ）への通電が維持され、それにより、第２リレーの第１ノーマルオープン接点（ＲＹ２Ｒ）のクローズ状態が維持される。
【００８３】
それにより、第４リレーのコイル（ＲＹ４Ｍ）への通電が開始される。それにより、第４リレーの第１ノーマルオープン接点（ＲＹ４Ｒ）および第２ノーマルオープン接点（ＲＹ４Ｌ）がオープン状態からクローズ状態に切り換わる。それにより、故障信号出力回路（１４）が閉じられ、故障信号（ＥＭＧＥＸ）が出力される。
【００８４】
更に、請求項３に記載の電源装置（１０）では、「交流電源（１１）からＡＣ／ＤＣコンバータ（１）に交流電圧が入力され、ＡＣ／ＤＣコンバータ（１）から負荷（１３）に直流電圧が出力されず、非常停止スイッチ（ＳＷ）がオフに維持されている」状態から、「交流電源（１１）からＡＣ／ＤＣコンバータ（１）に交流電圧が入力され、ＡＣ／ＤＣコンバータ（１）から負荷（１３）に直流電圧が出力されず、非常停止スイッチ（ＳＷ）がオンになる」状態に切り換わると、第１リレーのコイル（ＲＹ１Ｍ）への通電が遮断された状態で維持される。それにより、第１リレーのノーマルクローズ接点（ＲＹ１Ｒ）がクローズ状態に維持されると共に、第１リレーのノーマルオープン接点（ＲＹ１Ｌ）がオープン状態に維持される。
【００８５】
更に、第４リレーの第２ノーマルオープン接点（ＲＹ４Ｌ）がクローズ状態に維持されると共に、第４リレーのコイル（ＲＹ４Ｍ）への通電が維持され、それにより、第４リレーの第１ノーマルオープン接点（ＲＹ４Ｒ）のクローズ状態が維持される。それにより、故障信号出力回路（１４）が閉じられた状態が維持され、故障信号（ＥＭＧＥＸ）が出力され続ける。
【００８６】
換言すれば、請求項３に記載の電源装置（１０）では、ＡＣ／ＤＣコンバータ（１）の一方の入力側ライン（１ａ１）とＡＣ／ＤＣコンバータ（１）の他方の入力側ライン（１ａ２）との間に、第１リレーのノーマルクローズ接点（ＲＹ１Ｒ）と第１リレーのノーマルオープン接点（ＲＹ１Ｌ）と第２リレーのコイル（ＲＹ２Ｍ）と第２リレーの第１ノーマルオープン接点（ＲＹ２Ｒ）と第２リレーの第２ノーマルオープン接点（ＲＹ２Ｌ）と第３リレーのコイル（ＲＹ３Ｍ）と第３リレーのノーマルクローズ接点（ＲＹ３Ｌ）と第４リレーのコイル（ＲＹ４Ｍ）と第４リレーの第２ノーマルオープン接点（ＲＹ４Ｌ）と非常停止スイッチ（ＳＷ）と非常停止信号遅延回路（１５）とが設けられているものの、電源が別個に設けられていない。
【００８７】
更に、請求項３に記載の電源装置（１０）では、ＡＣ／ＤＣコンバータ（１）の一方の出力側ライン（１ｂ１）とＡＣ／ＤＣコンバータ（１）の他方の出力側ライン（１ｂ２）との間に、第１リレーのコイル（ＲＹ１Ｍ）が設けられているものの、電源が別個に設けられていない。
【００８８】
そのため、請求項３に記載の電源装置（１０）によれば、ＡＣ／ＤＣコンバータの入力側ラインの監視回路に別個に電源が設けられると共に、ＡＣ／ＤＣコンバータの出力側ラインの監視回路に別個に電源が設けられている特開２００７−２６７５０１号公報の図２に記載された電源装置よりも、ＡＣ／ＤＣコンバータ（１）の入力側ライン（１ａ１，１ａ２）および出力側ライン（１ｂ１，１ｂ２）の監視回路用に別個に設けられる電源の数を低減することができる。
【００８９】
詳細には、請求項３に記載の電源装置（１０）によれば、特開２００７−２６７５０１号公報の図２に記載された電源装置よりも、ＡＣ／ＤＣコンバータ（１）の入力側ライン（１ａ１，１ａ２）および出力側ライン（１ｂ１，１ｂ２）の監視回路用に別個に設けられる電源の数を低減することにより、ＡＣ／ＤＣコンバータ（１）の入力側ライン（１ａ１，１ａ２）および出力側ライン（１ｂ１，１ｂ２）の監視回路の信頼性を向上させることができる。
【００９０】
また、請求項３に記載の電源装置（１０）によれば、特開２００７−２６７５０１号公報の図２に記載された電源装置よりも、ＡＣ／ＤＣコンバータ（１）の入力側ライン（１ａ１，１ａ２）および出力側ライン（１ｂ１，１ｂ２）の監視回路用に別個に設けられる電源の数を低減することにより、ＡＣ／ＤＣコンバータ（１）の入力側ライン（１ａ１，１ａ２）および出力側ライン（１ｂ１，１ｂ２）の監視回路のコストを抑制することができる。
【００９１】
更に、請求項３に記載の電源装置（１０）によれば、ＡＣ／ＤＣコンバータの入力側ラインの監視回路にコンパレータが設けられると共に、ＡＣ／ＤＣコンバータの出力側ラインの監視回路にコンパレータが設けられている特開２００７−２６７５０１号公報の図２に記載された電源装置よりも、ＡＣ／ＤＣコンバータ（１）の入力側ライン（１ａ１，１ａ２）および出力側ライン（１ｂ１，１ｂ２）の監視回路の構成部品（ＲＹ１Ｍ，ＲＹ１Ｌ，ＲＹ１Ｒ，ＲＹ２Ｍ，ＲＹ２Ｌ，ＲＹ２Ｒ，ＲＹ３Ｍ，ＲＹ３Ｌ，ＲＹ３Ｒ，ＲＹ４Ｍ，ＲＹ４Ｌ，ＲＹ４Ｒ，ＳＷ，１５）が故障しているか否かの判別を容易にすることができる。
【００９２】
すなわち、請求項３に記載の電源装置（１０）によれば、特開２００７−２６７５０１号公報の図２に記載された電源装置よりも、ＡＣ／ＤＣコンバータ（１）の入力側ライン（１ａ１，１ａ２）および出力側ライン（１ｂ１，１ｂ２）の監視回路の信頼性を向上させると共に、コストを抑制することができる。
【００９３】
更に、請求項３に記載の電源装置（１０）によれば、非常停止スイッチ（ＳＷ）がオン状態にされるのに伴ってＡＣ／ＤＣコンバータ（１）から負荷（１３）に直流電圧が出力されない時に故障信号（ＥＭＧＥＸ）が出力されてしまうのを回避することができる。
【００９４】
また、請求項３に記載の電源装置（１０）によれば、ＡＣ／ＤＣコンバータ（１）から負荷（１３）に直流電圧が出力されていない状態で非常停止スイッチ（ＳＷ）がオン状態にされるのに伴って故障信号（ＥＭＧＥＸ）が出力しなくなってしまうのを回避することができる。
【発明を実施するための最良の形態】
【００９５】
本発明の電源装置の第１の実施形態について説明する前に、本発明の電源装置に関連する参考例について説明する。図９は第１参考例の電源装置２０の概略的な回路図である。
【００９６】
第１参考例の電源装置２０では、図９に示すように、入力された交流電圧を直流電圧に変換して出力するためのＡＣ／ＤＣコンバータ１が設けられている。更に、ＡＣ／ＤＣコンバータ１の一方の入力側ライン１ａ１が、例えばノーヒューズブレーカー（Ｎｏ  Ｆｕｓｅ  Ｂｒｅａｋｅｒ）１２を介して交流電源１１の一端に接続されている。また、ＡＣ／ＤＣコンバータ１の他方の入力側ライン１ａ２が交流電源１１の他端に接続されている。また、ＡＣ／ＤＣコンバータ１の一方の出力側ライン１ｂ１が負荷１３の一端に接続されている。更に、ＡＣ／ＤＣコンバータ１の他方の出力側ライン１ｂ２が負荷１３の他端に接続されている。
【００９７】
詳細には、第１参考例の電源装置２０では、図９に示すように、ＡＣ／ＤＣコンバータ１の正常時に、状態監視回路２２の電源が、ＡＣ／ＤＣコンバータ１の出力側ライン１ｂ１からダイオードＤ１を介して供給される。一方、ＡＣ／ＤＣコンバータ１の異常時には、ＡＣ／ＤＣコンバータ１の出力側ライン１ｂ１からダイオードＤ１を介して状態監視回路２２に電源が供給されなくなってしまうため、ＡＣ／ＤＣコンバータ１の異常時における状態監視回路２２の電源として、外部バッテリー２１が設けられている。
【００９８】
また、第１参考例の電源装置２０では、図９に示すように、ＡＣ／ＤＣコンバータ１の異常時に、コイルＲＹ１Ｍに通電され、ノーマルオープン接点ＲＹ１Ｌがオープン状態からクローズ状態に切り換わり、故障信号ＥＭＧＥＸが出力されるように、故障信号出力回路１４が構成されている。
【００９９】
ところで、第１参考例の電源装置２０では、寿命部品である外部バッテリー２１が使用されているため、外部バッテリー２１の異常時に故障信号ＥＭＧＥＸを出力することができず、監視回路２２の信頼性が低くなってしまう。また、状態監視回路２２が電子回路によって構成されている場合には、電子回路が誤動作や故障したか否かを判別しづらく、監視結果の信頼性が低くなってしまう。更に、ＡＣ／ＤＣコンバータ１の状態を監視するためのロジック回路を監視回路２２に設ける必要があり、監視回路２２が複雑になり、部品点数が増大すると共に、電源装置２０全体が大型化してしまい、コストが嵩んでしまう。
【０１００】
図１０は第２参考例の電源装置２０の概略的な回路図である。第２参考例の電源装置２０では、図１０に示すように、入力された交流電圧を直流電圧に変換して出力するためのＡＣ／ＤＣコンバータ１が設けられている。更に、ＡＣ／ＤＣコンバータ１の一方の入力側ライン１ａ１が、例えばノーヒューズブレーカー（Ｎｏ  Ｆｕｓｅ  Ｂｒｅａｋｅｒ）１２を介して交流電源１１の一端に接続されている。また、ＡＣ／ＤＣコンバータ１の他方の入力側ライン１ａ２が交流電源１１の他端に接続されている。また、ＡＣ／ＤＣコンバータ１の一方の出力側ライン１ｂ１が負荷１３の一端に接続されている。更に、ＡＣ／ＤＣコンバータ１の他方の出力側ライン１ｂ２が負荷１３の他端に接続されている。
【０１０１】
詳細には、第２参考例の電源装置２０では、図１０に示すように、入力側ライン１ａ１，１ａ２から、商用トランス２３、全波整流ダイオードブリッジ２４および直流平滑コンデンサＣを介して監視回路用電源が監視回路２２に供給されている。
【０１０２】
また、第２参考例の電源装置２０では、図１０に示すように、ＡＣ／ＤＣコンバータ１の異常時に、コイルＲＹ１Ｍに通電され、ノーマルオープン接点ＲＹ１Ｌがオープン状態からクローズ状態に切り換わり、故障信号ＥＭＧＥＸが出力されるように、故障信号出力回路１４が構成されている。
【０１０３】
ところで、第２参考例の電源装置２０では、電子回路によってＡＣ／ＤＣコンバータ１の状態の監視を行っているため、電子回路が誤動作や故障したか否かを判別しづらく、監視結果の信頼性が低くなってしまう。また、商用トランス２３、全波整流ダイオードブリッジ２４および直流平滑コンデンサＣを設ける必要があり、更に、ＡＣ／ＤＣコンバータ１の状態を監視するためのロジック回路を監視回路２２に設ける必要があり、その結果、監視回路２２が複雑になり、部品点数が増大すると共に、電源装置２０全体が大型化してしまい、コストが嵩んでしまう。
【０１０４】
以下、本発明の電源装置の第１の実施形態について説明する。図１は第１の実施形態の電源装置１０の概略的な回路図である。図２は第１の実施形態の電源装置１０のタイミングチャートである。
【０１０５】
第１の実施形態の電源装置１０では、図１に示すように、入力された交流電圧を直流電圧に変換して出力するためのＡＣ／ＤＣコンバータ１が設けられている。詳細には、第１の実施形態の電源装置１０では、ＡＣ／ＤＣコンバータ１として、例えば特開２００４−６４９９６号公報の図９に記載されたＡＣ／ＤＣコンバータのような公知のＡＣ／ＤＣコンバータが用いられている。
【０１０６】
更に、第１の実施形態の電源装置１０では、図１に示すように、ＡＣ／ＤＣコンバータ１の一方の入力側ライン１ａ１が、例えばノーヒューズブレーカー（Ｎｏ  Ｆｕｓｅ  Ｂｒｅａｋｅｒ）１２を介して交流電源１１の一端に接続されている。また、ＡＣ／ＤＣコンバータ１の他方の入力側ライン１ａ２が交流電源１１の他端に接続されている。また、ＡＣ／ＤＣコンバータ１の一方の出力側ライン１ｂ１が負荷１３の一端に接続されている。更に、ＡＣ／ＤＣコンバータ１の他方の出力側ライン１ｂ２が負荷１３の他端に接続されている。
【０１０７】
詳細には、第１の実施形態の電源装置１０では、図１に示すように、コイルＲＹ１Ｍと、そのコイルＲＹ１Ｍへの通電が開始されるとクローズ状態からオープン状態に切り換わり、そのコイルＲＹ１Ｍへの通電が遮断されるとオープン状態からクローズ状態に切り換わるノーマルクローズ接点ＲＹ１Ｒと、そのコイルＲＹ１Ｍへの通電が開始されるとオープン状態からクローズ状態に切り換わり、そのコイルＲＹ１Ｍへの通電が遮断されるとクローズ状態からオープン状態に切り換わるノーマルオープン接点ＲＹ１Ｌとによって、第１リレーが構成されている。
【０１０８】
また、第１の実施形態の電源装置１０では、図１に示すように、コイルＲＹ２Ｍと、そのコイルＲＹ２Ｍへの通電が開始されるとオープン状態からクローズ状態に切り換わり、そのコイルＲＹ２Ｍへの通電が遮断されるとクローズ状態からオープン状態に切り換わる第１ノーマルオープン接点ＲＹ２Ｒと、そのコイルＲＹ２Ｍへの通電が開始されるとオープン状態からクローズ状態に切り換わり、そのコイルＲＹ２Ｍへの通電が遮断されるとクローズ状態からオープン状態に切り換わる第２ノーマルオープン接点ＲＹ２Ｌとによって、第２リレーが構成されている。
【０１０９】
更に、第１の実施形態の電源装置１０では、図１に示すように、直列接続された第１リレーのノーマルオープン接点ＲＹ１Ｌと第２リレーのコイルＲＹ２Ｍとを介してＡＣ／ＤＣコンバータ１の一方の入力側ライン１ａ１と他方の入力側ライン１ａ２とが接続されている。また、第１リレーのノーマルオープン接点ＲＹ１Ｌに対して第２リレーの第２ノーマルオープン接点ＲＹ２Ｌが並列接続されている。
【０１１０】
また、第１の実施形態の電源装置１０では、図１に示すように、第１リレーのコイルＲＹ１Ｍを介してＡＣ／ＤＣコンバータ１の一方の出力側ライン１ｂ１と他方の出力側ライン１ｂ２とが接続されている。更に、直列接続された第１リレーのノーマルクローズ接点ＲＹ１Ｒと第２リレーの第１ノーマルオープン接点ＲＹ２Ｒとによって故障信号出力回路１４の一部が構成されている。
【０１１１】
更に、第１の実施形態の電源装置１０では、図１および図２に示すように、交流電源１１からＡＣ／ＤＣコンバータ１に交流電圧が入力され、ＡＣ／ＤＣコンバータ１から負荷１３に直流電圧が出力されると（図２の時間ｔ１）、第１リレーのコイルＲＹ１Ｍへの通電が開始され、それにより、第１リレーのノーマルクローズ接点ＲＹ１Ｒがクローズ状態からオープン状態に切り換わると共に、第１リレーのノーマルオープン接点ＲＹ１Ｌがオープン状態からクローズ状態に切り換わる（図２の時間ｔ２）。
【０１１２】
それにより、第２リレーのコイルＲＹ２Ｍへの通電が開始され、それにより、第２リレーの第１ノーマルオープン接点ＲＹ２Ｒがオープン状態からクローズ状態に切り換わると共に、第２リレーの第２ノーマルオープン接点ＲＹ２Ｌがオープン状態からクローズ状態に切り換わる（図２の時間ｔ３）。それにより、ＡＣ／ＤＣコンバータ１から負荷１３に直流電圧が出力されている間（図２の時間ｔ４までの間）、故障信号出力回路１４が開いており、故障信号ＥＭＧＥＸが出力されない。
【０１１３】
次いで、第１の実施形態の電源装置１０では、図１および図２に示すように、交流電源１１からＡＣ／ＤＣコンバータ１に交流電圧が入力されているにもかかわらず、ＡＣ／ＤＣコンバータ１から負荷１３に直流電圧が出力されなくなると（図２の時間ｔ４）、第１リレーのコイルＲＹ１Ｍへの通電が遮断され、それにより、第１リレーのノーマルクローズ接点ＲＹ１Ｒがオープン状態からクローズ状態に切り換わると共に、第１リレーのノーマルオープン接点ＲＹ１Ｌがクローズ状態からオープン状態に切り換わる（図２の時間ｔ５）。
【０１１４】
更に、第２リレーの第２ノーマルオープン接点ＲＹ２Ｌがクローズ状態に維持されると共に、第２リレーのコイルＲＹ２Ｍへの通電が維持され、それにより、第２リレーの第１ノーマルオープン接点ＲＹ２Ｒのクローズ状態が維持される。それにより、故障信号出力回路１４が閉じられ、故障信号ＥＭＧＥＸが出力される（図２の時間ｔ５）。
【０１１５】
次いで、第１の実施形態の電源装置１０では、図１および図２に示すように、ＡＣ／ＤＣコンバータ１が回復し、ＡＣ／ＤＣコンバータ１から負荷１３に直流電圧が再び出力されるようになると（図２の時間ｔ６）、第１リレーのコイルＲＹ１Ｍへの通電が開始され、それにより、第１リレーのノーマルクローズ接点ＲＹ１Ｒがクローズ状態からオープン状態に切り換わると共に、第１リレーのノーマルオープン接点ＲＹ１Ｌがオープン状態からクローズ状態に切り換わる（図２の時間ｔ７）。
【０１１６】
更に、第２リレーの第２ノーマルオープン接点ＲＹ２Ｌがクローズ状態に維持されると共に、第２リレーのコイルＲＹ２Ｍへの通電が維持され、それにより、第２リレーの第１ノーマルオープン接点ＲＹ２Ｒのクローズ状態が維持される。それにより、故障信号出力回路１４が開き、故障信号ＥＭＧＥＸが出力されなくなる（図２の時間ｔ７）。
【０１１７】
換言すれば、第１の実施形態の電源装置１０では、図１に示すように、ＡＣ／ＤＣコンバータ１の一方の入力側ライン１ａ１とＡＣ／ＤＣコンバータ１の他方の入力側ライン１ａ２との間に、第２リレーのコイルＲＹ２Ｍと第１リレーのノーマルオープン接点ＲＹ１Ｌと第２リレーの第２ノーマルオープン接点ＲＹ２Ｌとが設けられているものの、電源が別個に設けられていない。
【０１１８】
更に、第１の実施形態の電源装置１０では、図１に示すように、ＡＣ／ＤＣコンバータ１の一方の出力側ライン１ｂ１とＡＣ／ＤＣコンバータ１の他方の出力側ライン１ｂ２との間に、第１リレーのコイルＲＹ１Ｍが設けられているものの、電源が別個に設けられていない。
【０１１９】
そのため、第１の実施形態の電源装置１０によれば、ＡＣ／ＤＣコンバータの入力側ラインの監視回路に電源が別個に設けられると共に、ＡＣ／ＤＣコンバータの出力側ラインの監視回路に電源が別個に設けられている特開２００７−２６７５０１号公報の図２に記載された電源装置よりも、ＡＣ／ＤＣコンバータ１の入力側ライン１ａ１，１ａ２および出力側ライン１ｂ１，１ｂ２の監視回路用に別個に設けられる電源の数を低減することができる。
【０１２０】
詳細には、第１の実施形態の電源装置１０によれば、特開２００７−２６７５０１号公報の図２に記載された電源装置よりも、ＡＣ／ＤＣコンバータ１の入力側ライン１ａ１，１ａ２および出力側ライン１ｂ１，１ｂ２の監視回路用に別個に設けられる電源の数を低減することにより、ＡＣ／ＤＣコンバータ１の入力側ライン１ａ１，１ａ２および出力側ライン１ｂ１，１ｂ２の監視回路の信頼性を向上させることができる。
【０１２１】
また、第１の実施形態の電源装置１０によれば、特開２００７−２６７５０１号公報の図２に記載された電源装置よりも、ＡＣ／ＤＣコンバータ１の入力側ライン１ａ１，１ａ２および出力側ライン１ｂ１，１ｂ２の監視回路用に別個に設けられる電源の数を低減することにより、ＡＣ／ＤＣコンバータ１の入力側ライン１ａ１，１ａ２および出力側ライン１ｂ１，１ｂ２の監視回路のコストを抑制することができる。
【０１２２】
更に、第１の実施形態の電源装置１０によれば、ＡＣ／ＤＣコンバータの入力側ラインの監視回路にコンパレータが設けられると共に、ＡＣ／ＤＣコンバータの出力側ラインの監視回路にコンパレータが設けられている特開２００７−２６７５０１号公報の図２に記載された電源装置よりも、ＡＣ／ＤＣコンバータ１の入力側ライン１ａ１，１ａ２および出力側ライン１ｂ１，１ｂ２の監視回路の構成部品（ＲＹ１Ｍ，ＲＹ１Ｌ，ＲＹ１Ｒ，ＲＹ２Ｍ，ＲＹ２Ｌ，ＲＹ２Ｒ）が故障しているか否かの判別を容易にすることができる。
【０１２３】
すなわち、第１の実施形態の電源装置１０によれば、特開２００７−２６７５０１号公報の図２に記載された電源装置よりも、ＡＣ／ＤＣコンバータ１の入力側ライン１ａ１，１ａ２および出力側ライン１ｂ１，１ｂ２の監視回路の信頼性を向上させると共に、コストを抑制することができる。
【０１２４】
以下、本発明の電源装置の第２の実施形態について説明する。図３は第２の実施形態の電源装置１０の概略的な回路図である。図４は図３に示す非常停止信号遅延回路１５の一例を示した回路図である。図５は仮に非常停止信号遅延回路１５が設けられていない場合における第２の実施形態の電源装置１０のタイミングチャートである。図６は非常停止信号遅延回路１５が設けられている図３に示す第２の実施形態の電源装置１０のタイミングチャートである。
【０１２５】
第２の実施形態の電源装置１０では、図３に示すように、入力された交流電圧を直流電圧に変換して出力するためのＡＣ／ＤＣコンバータ１が設けられている。詳細には、第２の実施形態の電源装置１０では、ＡＣ／ＤＣコンバータ１として、例えば特開２００４−６４９９６号公報の図９に記載されたＡＣ／ＤＣコンバータのような公知のＡＣ／ＤＣコンバータが用いられている。
【０１２６】
更に、第２の実施形態の電源装置１０では、図３に示すように、ＡＣ／ＤＣコンバータ１の一方の入力側ライン１ａ１が、例えばノーヒューズブレーカー（Ｎｏ  Ｆｕｓｅ  Ｂｒｅａｋｅｒ）１２を介して交流電源１１の一端に接続されている。また、ＡＣ／ＤＣコンバータ１の他方の入力側ライン１ａ２が交流電源１１の他端に接続されている。また、ＡＣ／ＤＣコンバータ１の一方の出力側ライン１ｂ１が負荷１３の一端に接続されている。更に、ＡＣ／ＤＣコンバータ１の他方の出力側ライン１ｂ２が負荷１３の他端に接続されている。
【０１２７】
詳細には、第２の実施形態の電源装置１０では、図３に示すように、コイルＲＹ１Ｍと、そのコイルＲＹ１Ｍへの通電が開始されるとクローズ状態からオープン状態に切り換わり、そのコイルＲＹ１Ｍへの通電が遮断されるとオープン状態からクローズ状態に切り換わるノーマルクローズ接点ＲＹ１Ｒと、そのコイルＲＹ１Ｍへの通電が開始されるとオープン状態からクローズ状態に切り換わり、そのコイルＲＹ１Ｍへの通電が遮断されるとクローズ状態からオープン状態に切り換わるノーマルオープン接点ＲＹ１Ｌとによって、第１リレーが構成されている。
【０１２８】
また、第２の実施形態の電源装置１０では、図３に示すように、コイルＲＹ２Ｍと、そのコイルＲＹ２Ｍへの通電が開始されるとオープン状態からクローズ状態に切り換わり、そのコイルＲＹ２Ｍへの通電が遮断されるとクローズ状態からオープン状態に切り換わる第１ノーマルオープン接点ＲＹ２Ｒと、そのコイルＲＹ２Ｍへの通電が開始されるとオープン状態からクローズ状態に切り換わり、そのコイルＲＹ２Ｍへの通電が遮断されるとクローズ状態からオープン状態に切り換わる第２ノーマルオープン接点ＲＹ２Ｌとによって、第２リレーが構成されている。
【０１２９】
更に、第２の実施形態の電源装置１０では、図３に示すように、コイルＲＹ３Ｍと、そのコイルＲＹ３Ｍへの通電が開始されるとクローズ状態からオープン状態に切り換わり、そのコイルＲＹ３Ｍへの通電が遮断されるとオープン状態からクローズ状態に切り換わるノーマルクローズ接点ＲＹ３Ｌと、そのコイルＲＹ３Ｍへの通電が開始されるとオープン状態からクローズ状態に切り換わり、そのコイルＲＹ３Ｍへの通電が遮断されるとクローズ状態からオープン状態に切り換わるノーマルオープン接点ＲＹ３Ｒとによって、第３リレーが構成されている。
【０１３０】
また、第２の実施形態の電源装置１０では、図３に示すように、非常停止スイッチＳＷと、非常停止信号遅延回路１５とが設けられている。詳細には、第２の実施形態の電源装置１０では、非常停止信号遅延回路１５として、例えば図４に示すような非常停止信号遅延回路１５が用いられている。図４において、１５ａ，１５ｂはインバータを示しており、Ｒ２，Ｒ３は抵抗を示しており、Ｃはコンデンサを示しており、ＲＹ３Ｒは第３リレーのノーマルオープン接点を示している。第２の実施形態の電源装置１０では、第３リレーのノーマルオープン接点ＲＹ３Ｒの一端（図４の上端）が直流電源（図示せず）のプラス電位に接続されている。
【０１３１】
更に、第２の実施形態の電源装置１０では、図３に示すように、直列接続された第１リレーのノーマルオープン接点ＲＹ１Ｌと第３リレーのノーマルクローズ接点ＲＹ３Ｌと第２リレーのコイルＲＹ２Ｍとを介してＡＣ／ＤＣコンバータ１の一方の入力側ライン１ａ１と他方の入力側ライン１ａ２とが接続されている。更に、第１リレーのノーマルオープン接点ＲＹ１Ｌに対して第２リレーの第２ノーマルオープン接点ＲＹ２Ｌが並列接続されている。
【０１３２】
また、第２の実施形態の電源装置１０では、図３に示すように、第１リレーのコイルＲＹ１Ｍを介してＡＣ／ＤＣコンバータ１の一方の出力側ライン１ｂ１と他方の出力側ライン１ｂ２とが接続されている。
【０１３３】
更に、第２の実施形態の電源装置１０では、図３に示すように、直列接続された第１リレーのノーマルクローズ接点ＲＹ１Ｒと第２リレーの第１ノーマルオープン接点ＲＹ２Ｒとによって故障信号出力回路１４の一部が構成されている。また、直列接続された第３リレーのコイルＲＹ３Ｍと非常停止スイッチＳＷとを介してＡＣ／ＤＣコンバータ１の一方の入力側ライン１ａ１と他方の入力側ライン１ａ２とが接続されている。
【０１３４】
また、第２の実施形態の電源装置１０では、図３に示すように、非常停止スイッチＳＷがオフ状態からオン状態に切り換えられると、第３リレーのコイルＲＹ３Ｍへの通電が開始され、それにより、第３リレーのノーマルオープン接点ＲＹ３Ｒがオープン状態からクローズ状態に切り換わり、ＡＣ／ＤＣコンバータ１から負荷１３への直流電圧の出力を停止すべき旨の非常停止指令が所定の遅延時間の後にＡＣ／ＤＣコンバータ１に入力され、それにより、ＡＣ／ＤＣコンバータ１から負荷１３に直流電圧が出力されなくなるように、非常停止信号遅延回路１５とＡＣ／ＤＣコンバータ１とが接続されている。
【０１３５】
第２の実施形態の電源装置１０では、図３および図６に示すように、交流電源１１からＡＣ／ＤＣコンバータ１に交流電圧が入力され、非常停止スイッチＳＷがオフ状態に維持され、ＡＣ／ＤＣコンバータ１から負荷１３に直流電圧が出力されると（図６の時間ｔ１１）、第３リレーのコイルＲＹ３Ｍへの通電が遮断された状態で維持され、それにより、第３リレーのノーマルクローズ接点ＲＹ３Ｌがクローズ状態で維持される。
【０１３６】
更に、第１リレーのコイルＲＹ１Ｍへの通電が開始され、それにより、第１リレーのノーマルクローズ接点ＲＹ１Ｒがクローズ状態からオープン状態に切り換わると共に、第１リレーのノーマルオープン接点ＲＹ１Ｌがオープン状態からクローズ状態に切り換わる。
【０１３７】
それにより、第２リレーのコイルＲＹ２Ｍへの通電が開始され、それにより、第２リレーの第１ノーマルオープン接点ＲＹ２Ｒがオープン状態からクローズ状態に切り換わると共に、第２リレーの第２ノーマルオープン接点ＲＹ２Ｌがオープン状態からクローズ状態に切り換わる。それにより、ＡＣ／ＤＣコンバータ１から負荷１３に直流電圧が出力されている間、故障信号出力回路１４が開いており、故障信号ＥＭＧＥＸが出力されない。
【０１３８】
更に、第２の実施形態の電源装置１０では、図３および図６に示すように、「交流電源１１からＡＣ／ＤＣコンバータ１に交流電圧が入力され、非常停止スイッチＳＷがオフに維持され、ＡＣ／ＤＣコンバータ１から負荷１３に直流電圧が出力されている」状態から、「交流電源１１からＡＣ／ＤＣコンバータ１に交流電圧が入力され、非常停止スイッチＳＷがオンになる」状態に切り換えられると（図６の時間ｔ１２）、第３リレーのコイルＲＹ３Ｍへの通電が開始され、それにより、第３リレーのノーマルクローズ接点ＲＹ３Ｌがクローズ状態からオープン状態に切り換わる。
【０１３９】
それにより、第２リレーのコイルＲＹ２Ｍへの通電が遮断され、それにより、第２リレーの第２ノーマルオープン接点ＲＹ２Ｌがクローズ状態からオープン状態に切り換わると共に、第２リレーの第１ノーマルオープン接点ＲＹ２Ｒがクローズ状態からオープン状態に切り換わる。それにより、非常停止スイッチＳＷがオン状態に維持されている間、故障信号出力回路１４が開いており、それにより、ＡＣ／ＤＣコンバータ１から負荷１３に直流電圧が出力されなくなっても故障信号ＥＭＧＥＸが出力されなくなる。
【０１４０】
次いで、第２の実施形態の電源装置１０では、図３および図６に示すように、所定の遅延時間の後に（図６の時間ｔ１３）、ＡＣ／ＤＣコンバータ１から負荷１３に直流電圧が出力されなくなる。それにより、第１リレーのコイルＲＹ１Ｍへの通電が遮断され、それにより、第１リレーのノーマルクローズ接点ＲＹ１Ｒがオープン状態からクローズ状態に切り換わると共に、第１リレーのノーマルオープン接点ＲＹ１Ｌがクローズ状態からオープン状態に切り換わる。
【０１４１】
一方、仮に、第２の実施形態の電源装置１０に非常停止信号遅延回路１５が設けられていない場合には、図３および図５に示すように、「交流電源１１からＡＣ／ＤＣコンバータ１に交流電圧が入力され、非常停止スイッチＳＷがオフに維持され、ＡＣ／ＤＣコンバータ１から負荷１３に直流電圧が出力されている」状態から、「交流電源１１からＡＣ／ＤＣコンバータ１に交流電圧が入力され、非常停止スイッチＳＷがオンになる」状態に切り換えられると（図５の時間ｔ１２）、第３リレーのコイルＲＹ３Ｍへの通電が開始され、それにより、第３リレーのノーマルクローズ接点ＲＹ３Ｌがクローズ状態からオープン状態に切り換わると共に、遅延時間なくＡＣ／ＤＣコンバータ１に送られた非常停止指令によって、ＡＣ／ＤＣコンバータ１から負荷１３に直流電圧が出力されなくなる。それにより、第１リレーのコイルＲＹ１Ｍへの通電が遮断され、それにより、第１リレーのノーマルクローズ接点ＲＹ１Ｒがオープン状態からクローズ状態に切り換わると共に、第１リレーのノーマルオープン接点ＲＹ１Ｌがクローズ状態からオープン状態に切り換わる。
【０１４２】
その結果、第２リレーのコイルＲＹ２Ｍへの通電が遮断され、それにより、第２リレーの第１ノーマルオープン接点ＲＹ２Ｒがクローズ状態からオープン状態に切り換わるまでの間の一瞬（概略図５の時間ｔ１２〜時間ｔ１２’）、故障信号出力回路１４が閉じられ、それにより、故障信号ＥＭＧＥＸが出力されてしまう。
【０１４３】
第２の実施形態の電源装置１０の説明に戻り、次いで、図３および図６に示すように、非常停止スイッチＳＷがオフ状態に戻され、ＡＣ／ＤＣコンバータ１から負荷１３への直流電圧の出力が回復すると（図６の時間ｔ１４）、第３リレーのコイルＲＹ３Ｍへの通電が遮断された状態で維持され、それにより、第３リレーのノーマルクローズ接点ＲＹ３Ｌがクローズ状態で維持される。
【０１４４】
更に、第１リレーのコイルＲＹ１Ｍへの通電が開始され、それにより、第１リレーのノーマルクローズ接点ＲＹ１Ｒがクローズ状態からオープン状態に切り換わると共に、第１リレーのノーマルオープン接点ＲＹ１Ｌがオープン状態からクローズ状態に切り換わる。
【０１４５】
それにより、第２リレーのコイルＲＹ２Ｍへの通電が開始され、それにより、第２リレーの第１ノーマルオープン接点ＲＹ２Ｒがオープン状態からクローズ状態に切り換わると共に、第２リレーの第２ノーマルオープン接点ＲＹ２Ｌがオープン状態からクローズ状態に切り換わる。それにより、ＡＣ／ＤＣコンバータ１から負荷１３に直流電圧が出力されている間（図６の時間ｔ１５までの間）、故障信号出力回路１４が開いており、故障信号ＥＭＧＥＸが出力されない。
【０１４６】
次いで、第２の実施形態の電源装置１０では、図３および図６に示すように、「交流電源１１からＡＣ／ＤＣコンバータ１に交流電圧が入力され、非常停止スイッチＳＷがオフに維持され、ＡＣ／ＤＣコンバータ１から負荷１３に直流電圧が出力されている」状態から、「交流電源１１からＡＣ／ＤＣコンバータ１に交流電圧が入力され、非常停止スイッチＳＷがオフに維持されているにもかかわらず、ＡＣ／ＤＣコンバータ１から負荷１３に直流電圧が出力されない」状態に切り換わると（図６の時間ｔ１５）、第３リレーのコイルＲＹ３Ｍへの通電が遮断された状態で維持され、それにより、第３リレーのノーマルクローズ接点ＲＹ３Ｌがクローズ状態で維持される。
【０１４７】
更に、第１リレーのコイルＲＹ１Ｍへの通電が遮断され、それにより、第１リレーのノーマルクローズ接点ＲＹ１Ｒがオープン状態からクローズ状態に切り換わると共に、第１リレーのノーマルオープン接点ＲＹ１Ｌがクローズ状態からオープン状態に切り換わる。また、第２リレーの第２ノーマルオープン接点ＲＹ２Ｌがクローズ状態に維持されると共に、第２リレーのコイルＲＹ２Ｍへの通電が維持され、それにより、第２リレーの第１ノーマルオープン接点ＲＹ２Ｒのクローズ状態が維持される。それにより、故障信号出力回路１４が閉じられ、故障信号ＥＭＧＥＸが出力される。
【０１４８】
次いで、第２の実施形態の電源装置１０では、図３および図６に示すように、「交流電源１１からＡＣ／ＤＣコンバータ１に交流電圧が入力され、非常停止スイッチＳＷがオフに維持されているにもかかわらず、ＡＣ／ＤＣコンバータ１から負荷１３に直流電圧が出力されない」状態から、「交流電源１１からＡＣ／ＤＣコンバータ１に交流電圧が入力され、ＡＣ／ＤＣコンバータ１から負荷１３に直流電圧が出力されず、非常停止スイッチＳＷがオンになる」状態に切り換えられると（図６の時間ｔ１６）、第３リレーのコイルＲＹ３Ｍへの通電が開始され、それにより、第３リレーのノーマルクローズ接点ＲＹ３Ｌがクローズ状態からオープン状態に切り換わる。それにより、第２リレーのコイルＲＹ２Ｍへの通電が遮断され、それにより、第２リレーの第１ノーマルオープン接点ＲＹ２Ｒのクローズ状態がオープン状態に切り換わる。それにより、故障信号出力回路１４が開き、故障信号ＥＭＧＥＸが出力されなくなる。
【０１４９】
換言すれば、第２の実施形態の電源装置１０では、ＡＣ／ＤＣコンバータ１の一方の入力側ライン１ａ１とＡＣ／ＤＣコンバータ１の他方の入力側ライン１ａ２との間に、第２リレーのコイルＲＹ２Ｍと第１リレーのノーマルオープン接点ＲＹ１Ｌと第２リレーの第２ノーマルオープン接点ＲＹ２Ｌと第３リレーのコイルＲＹ３Ｍと第３リレーのノーマルクローズ接点ＲＹ３Ｌと非常停止スイッチＳＷと非常停止信号遅延回路１５とが設けられているものの、電源が別個に設けられていない。
【０１５０】
更に、第２の実施形態の電源装置１０では、ＡＣ／ＤＣコンバータ１の一方の出力側ライン１ｂ１とＡＣ／ＤＣコンバータ１の他方の出力側ライン１ｂ２との間に、第１リレーのコイルＲＹ１Ｍが設けられているものの、電源が別個に設けられていない。
【０１５１】
そのため、第２の実施形態の電源装置１０によれば、ＡＣ／ＤＣコンバータの入力側ラインの監視回路に別個に電源が設けられると共に、ＡＣ／ＤＣコンバータの出力側ラインの監視回路に別個に電源が設けられている特開２００７−２６７５０１号公報の図２に記載された電源装置よりも、ＡＣ／ＤＣコンバータ１の入力側ライン１ａ１，１ａ２および出力側ライン１ｂ１，１ｂ２の監視回路用に別個に設けられる電源の数を低減することができる。
【０１５２】
詳細には、第２の実施形態の電源装置１０によれば、特開２００７−２６７５０１号公報の図２に記載された電源装置よりも、ＡＣ／ＤＣコンバータ１の入力側ライン１ａ１，１ａ２および出力側ライン１ｂ１，１ｂ２の監視回路用に別個に設けられる電源の数を低減することにより、ＡＣ／ＤＣコンバータ１の入力側ライン１ａ１，１ａ２および出力側ライン１ｂ１，１ｂ２の監視回路の信頼性を向上させることができる。
【０１５３】
また、第２の実施形態の電源装置１０によれば、特開２００７−２６７５０１号公報の図２に記載された電源装置よりも、ＡＣ／ＤＣコンバータ１の入力側ライン１ａ１，１ａ２および出力側ライン１ｂ１，１ｂ２の監視回路用に別個に設けられる電源の数を低減することにより、ＡＣ／ＤＣコンバータ１の入力側ライン１ａ１，１ａ２および出力側ライン１ｂ１，１ｂ２の監視回路のコストを抑制することができる。
【０１５４】
更に、第２の実施形態の電源装置１０によれば、ＡＣ／ＤＣコンバータの入力側ラインの監視回路にコンパレータが設けられると共に、ＡＣ／ＤＣコンバータの出力側ラインの監視回路にコンパレータが設けられている特開２００７−２６７５０１号公報の図２に記載された電源装置よりも、ＡＣ／ＤＣコンバータ１の入力側ライン１ａ１，１ａ２および出力側ライン１ｂ１，１ｂ２の監視回路の構成部品（ＲＹ１Ｍ，ＲＹ１Ｌ，ＲＹ１Ｒ，ＲＹ２Ｍ，ＲＹ２Ｌ，ＲＹ２Ｒ，ＲＹ３Ｍ，ＲＹ３Ｌ，ＲＹ３Ｒ，ＳＷ，１５）が故障しているか否かの判別を容易にすることができる。
【０１５５】
すなわち、第２の実施形態の電源装置１０によれば、特開２００７−２６７５０１号公報の図２に記載された電源装置よりも、ＡＣ／ＤＣコンバータ１の入力側ライン１ａ１，１ａ２および出力側ライン１ｂ１，１ｂ２の監視回路の信頼性を向上させると共に、コストを抑制することができる。
【０１５６】
更に、第２の実施形態の電源装置１０によれば、非常停止スイッチＳＷがオン状態にされるのに伴ってＡＣ／ＤＣコンバータ１から負荷１３に直流電圧が出力されない時に故障信号ＥＭＧＥＸが出力されてしまうのを回避することができる。
【０１５７】
以下、本発明の電源装置の第３の実施形態について説明する。図７は第３の実施形態の電源装置１０の概略的な回路図である。図８は第３の実施形態の電源装置１０のタイミングチャートである。
【０１５８】
第３の実施形態の電源装置１０では、図７に示すように、入力された交流電圧を直流電圧に変換して出力するためのＡＣ／ＤＣコンバータ１が設けられている。詳細には、第３の実施形態の電源装置１０では、ＡＣ／ＤＣコンバータ１として、例えば特開２００４−６４９９６号公報の図９に記載されたＡＣ／ＤＣコンバータのような公知のＡＣ／ＤＣコンバータが用いられている。
【０１５９】
更に、第３の実施形態の電源装置１０では、図７に示すように、ＡＣ／ＤＣコンバータ１の一方の入力側ライン１ａ１が、例えばノーヒューズブレーカー（Ｎｏ  Ｆｕｓｅ  Ｂｒｅａｋｅｒ）１２を介して交流電源１１の一端に接続されている。また、ＡＣ／ＤＣコンバータ１の他方の入力側ライン１ａ２が交流電源１１の他端に接続されている。また、ＡＣ／ＤＣコンバータ１の一方の出力側ライン１ｂ１が負荷１３の一端に接続されている。更に、ＡＣ／ＤＣコンバータ１の他方の出力側ライン１ｂ２が負荷１３の他端に接続されている。
【０１６０】
詳細には、第３の実施形態の電源装置１０では、図７に示すように、コイルＲＹ１Ｍと、そのコイルＲＹ１Ｍへの通電が開始されるとクローズ状態からオープン状態に切り換わり、そのコイルＲＹ１Ｍへの通電が遮断されるとオープン状態からクローズ状態に切り換わるノーマルクローズ接点ＲＹ１Ｒと、そのコイルＲＹ１Ｍへの通電が開始されるとオープン状態からクローズ状態に切り換わり、そのコイルＲＹ１Ｍへの通電が遮断されるとクローズ状態からオープン状態に切り換わるノーマルオープン接点ＲＹ１Ｌとによって、第１リレーが構成されている。
【０１６１】
また、第３の実施形態の電源装置１０では、図７に示すように、コイルＲＹ２Ｍと、そのコイルＲＹ２Ｍへの通電が開始されるとオープン状態からクローズ状態に切り換わり、そのコイルＲＹ２Ｍへの通電が遮断されるとクローズ状態からオープン状態に切り換わる第１ノーマルオープン接点ＲＹ２Ｒと、そのコイルＲＹ２Ｍへの通電が開始されるとオープン状態からクローズ状態に切り換わり、そのコイルＲＹ２Ｍへの通電が遮断されるとクローズ状態からオープン状態に切り換わる第２ノーマルオープン接点ＲＹ２Ｌとによって、第２リレーが構成されている。
【０１６２】
更に、第３の実施形態の電源装置１０では、図７に示すように、コイルＲＹ３Ｍと、そのコイルＲＹ３Ｍへの通電が開始されるとクローズ状態からオープン状態に切り換わり、そのコイルＲＹ３Ｍへの通電が遮断されるとオープン状態からクローズ状態に切り換わるノーマルクローズ接点ＲＹ３Ｌと、そのコイルＲＹ３Ｍへの通電が開始されるとオープン状態からクローズ状態に切り換わり、そのコイルＲＹ３Ｍへの通電が遮断されるとクローズ状態からオープン状態に切り換わるノーマルオープン接点ＲＹ３Ｒとによって、第３リレーが構成されている。
【０１６３】
また、第３の実施形態の電源装置１０では、図７に示すように、コイルＲＹ４Ｍと、そのコイルＲＹ４Ｍへの通電が開始されるとオープン状態からクローズ状態に切り換わり、そのコイルＲＹ４Ｍへの通電が遮断されるとクローズ状態からオープン状態に切り換わる第１ノーマルオープン接点ＲＹ４Ｒと、そのコイルＲＹ４Ｍへの通電が開始されるとオープン状態からクローズ状態に切り換わり、そのコイルＲＹ４Ｍへの通電が遮断されるとクローズ状態からオープン状態に切り換わる第２ノーマルオープン接点ＲＹ４Ｌとによって、第４リレーが構成されている。
【０１６４】
更に、第３の実施形態の電源装置１０では、図７に示すように、非常停止スイッチＳＷと、非常停止信号遅延回路１５とが設けられている。詳細には、第３の実施形態の電源装置１０では、非常停止信号遅延回路１５として、例えば図４に示すような非常停止信号遅延回路１５が用いられている。
【０１６５】
また、第３の実施形態の電源装置１０では、図７に示すように、直列接続された第１リレーのノーマルオープン接点ＲＹ１Ｌと第３リレーのノーマルクローズ接点ＲＹ３Ｌと第２リレーのコイルＲＹ２Ｍとを介してＡＣ／ＤＣコンバータ１の一方の入力側ライン１ａ１と他方の入力側ライン１ａ２とが接続されている。
【０１６６】
更に、第３の実施形態の電源装置１０では、図７に示すように、直列接続された第１リレーのノーマルオープン接点ＲＹ１Ｌと第３リレーのノーマルクローズ接点ＲＹ３Ｌと第２リレーのコイルＲＹ２Ｍとに対して、直列接続された第２リレーの第１ノーマルオープン接点ＲＹ２Ｒと第１リレーのノーマルクローズ接点ＲＹ１Ｒと第４リレーのコイルＲＹ４Ｍとが並列接続されている。
【０１６７】
また、第３の実施形態の電源装置１０では、図７に示すように、第１リレーのノーマルオープン接点ＲＹ１Ｌに対して第２リレーの第２ノーマルオープン接点ＲＹ２Ｌが並列接続されている。更に、第２リレーの第１ノーマルオープン接点ＲＹ２Ｒに対して第４リレーの第２ノーマルオープン接点ＲＹ４Ｌが並列接続されている。
【０１６８】
更に、第３の実施形態の電源装置１０では、図７に示すように、第１リレーのコイルＲＹ１Ｍを介してＡＣ／ＤＣコンバータ１の一方の出力側ライン１ｂ１と他方の出力側ライン１ｂ２とが接続されている。また、第４リレーの第１ノーマルオープン接点ＲＹ４Ｒによって故障信号出力回路１４の一部が構成されている。更に、直列接続された第３リレーのコイルＲＹ３Ｍと非常停止スイッチＳＷとを介してＡＣ／ＤＣコンバータ１の一方の入力側ライン１ａ１と他方の入力側ライン１ａ２とが接続されている。
【０１６９】
また、第３の実施形態の電源装置１０では、図７に示すように、非常停止スイッチＳＷがオフ状態からオン状態に切り換えられると、第３リレーのコイルＲＹ３Ｍへの通電が開始され、それにより、第３リレーのノーマルオープン接点ＲＹ３Ｒがオープン状態からクローズ状態に切り換わり、ＡＣ／ＤＣコンバータ１から負荷１３への直流電圧の出力を停止すべき旨の非常停止指令が所定の遅延時間の後にＡＣ／ＤＣコンバータ１に入力され、それにより、ＡＣ／ＤＣコンバータ１から負荷１３に直流電圧が出力されなくなるように、非常停止信号遅延回路１５とＡＣ／ＤＣコンバータ１とが接続されている。
【０１７０】
更に、第３の実施形態の電源装置１０では、図７および図８に示すように、交流電源１１からＡＣ／ＤＣコンバータ１に交流電圧が入力され、非常停止スイッチＳＷがオフ状態に維持され、ＡＣ／ＤＣコンバータ１から負荷１３に直流電圧が出力されると（図８の時間ｔ２１）、第３リレーのコイルＲＹ３Ｍへの通電が遮断された状態で維持され、それにより、第３リレーのノーマルクローズ接点ＲＹ３Ｌがクローズ状態で維持される。
【０１７１】
更に、第１リレーのコイルＲＹ１Ｍへの通電が開始され、それにより、第１リレーのノーマルクローズ接点ＲＹ１Ｒがクローズ状態からオープン状態に切り換わる。それにより、第４リレーのコイルＲＹ４Ｍへの通電が遮断された状態で維持され、それにより、第４リレーの第１ノーマルオープン接点ＲＹ４Ｒおよび第２ノーマルオープン接点ＲＹ４Ｌがオープン状態で維持される。それにより、ＡＣ／ＤＣコンバータ１から負荷１３に直流電圧が出力されている間、故障信号出力回路１４が開いており、故障信号ＥＭＧＥＸが出力されない。
【０１７２】
更に、第１リレーのコイルＲＹ１Ｍへの通電が開始されるのに伴って、第１リレーのノーマルオープン接点ＲＹ１Ｌがオープン状態からクローズ状態に切り換わる。それにより、第２リレーのコイルＲＹ２Ｍへの通電が開始され、それにより、第２リレーの第１ノーマルオープン接点ＲＹ２Ｒがオープン状態からクローズ状態に切り換わると共に、第２リレーの第２ノーマルオープン接点ＲＹ２Ｌがオープン状態からクローズ状態に切り換わる。
【０１７３】
また、第３の実施形態の電源装置１０では、図７および図８に示すように、「交流電源１１からＡＣ／ＤＣコンバータ１に交流電圧が入力され、非常停止スイッチＳＷがオフに維持され、ＡＣ／ＤＣコンバータ１から負荷１３に直流電圧が出力されている」状態から、「交流電源１１からＡＣ／ＤＣコンバータ１に交流電圧が入力され、非常停止スイッチＳＷがオンになる」状態にされると（図８の時間ｔ２２）、第３リレーのコイルＲＹ３Ｍへの通電が開始され、それにより、第３リレーのノーマルクローズ接点ＲＹ３Ｌがクローズ状態からオープン状態に切り換わる。
【０１７４】
それにより、第２リレーのコイルＲＹ２Ｍへの通電が遮断され、それにより、第２リレーの第２ノーマルオープン接点ＲＹ２Ｌがクローズ状態からオープン状態に切り換わると共に、第２リレーの第１ノーマルオープン接点ＲＹ２Ｒがクローズ状態からオープン状態に切り換わる。
【０１７５】
それにより、非常停止スイッチＳＷがオン状態に維持されている間、第４リレーのコイルＲＹ４Ｍへの通電が遮断され、それにより、第４リレーの第１ノーマルオープン接点ＲＹ４Ｒおよび第２ノーマルオープン接点ＲＹ４Ｌがオープン状態で維持される。それにより、故障信号出力回路１４が開いており、それにより、ＡＣ／ＤＣコンバータ１から負荷１３に直流電圧が出力されなくなっても故障信号ＥＭＧＥＸが出力されなくなる。
【０１７６】
次いで、第３の実施形態の電源装置１０では、図７および図８に示すように、所定の遅延時間の後に、ＡＣ／ＤＣコンバータ１から負荷１３に直流電圧が出力されなくなる（図８の時間ｔ２３）。それにより、第１リレーのコイルＲＹ１Ｍへの通電が遮断され、それにより、第１リレーのノーマルクローズ接点ＲＹ１Ｒがオープン状態からクローズ状態に切り換わると共に、第１リレーのノーマルオープン接点ＲＹ１Ｌがクローズ状態からオープン状態に切り換わる。
【０１７７】
次いで、第３の実施形態の電源装置１０では、図７および図８に示すように、非常停止スイッチＳＷがオフ状態に戻され、ＡＣ／ＤＣコンバータ１から負荷１３への直流電圧の出力が回復すると（図８の時間ｔ２４）、第３リレーのコイルＲＹ３Ｍへの通電が遮断された状態で維持され、それにより、第３リレーのノーマルクローズ接点ＲＹ３Ｌがクローズ状態で維持される。
【０１７８】
更に、第１リレーのコイルＲＹ１Ｍへの通電が開始され、それにより、第１リレーのノーマルクローズ接点ＲＹ１Ｒがクローズ状態からオープン状態に切り換わると共に、第１リレーのノーマルオープン接点ＲＹ１Ｌがオープン状態からクローズ状態に切り換わる。それにより、第４リレーのコイルＲＹ４Ｍへの通電の遮断が維持され、第４リレーの第１ノーマルオープン接点ＲＹ４Ｒおよび第２ノーマルオープン接点ＲＹ４Ｒのオープン状態が維持される。それにより、ＡＣ／ＤＣコンバータ１から負荷１３に直流電圧が出力されている間（図８の時間ｔ２５までの間）、故障信号出力回路１４が開いており、故障信号ＥＭＧＥＸが出力されない。
【０１７９】
また、第２リレーのコイルＲＹ２Ｍへの通電が開始され、それにより、第２リレーの第１ノーマルオープン接点ＲＹ２Ｒがオープン状態からクローズ状態に切り換わると共に、第２リレーの第２ノーマルオープン接点ＲＹ２Ｌがオープン状態からクローズ状態に切り換わる。
【０１８０】
更に、第３の実施形態の電源装置１０では、図７および図８に示すように、「交流電源１１からＡＣ／ＤＣコンバータ１に交流電圧が入力され、非常停止スイッチＳＷがオフに維持され、ＡＣ／ＤＣコンバータ１から負荷１３に直流電圧が出力されている」状態から、「交流電源１１からＡＣ／ＤＣコンバータ１に交流電圧が入力され、非常停止スイッチＳＷがオフに維持されているにもかかわらず、ＡＣ／ＤＣコンバータ１から負荷１３に直流電圧が出力されない」状態に切り換わると（図８の時間ｔ２５）、第３リレーのコイルＲＹ３Ｍへの通電が遮断された状態で維持され、それにより、第３リレーのノーマルクローズ接点ＲＹ３Ｌがクローズ状態で維持される。
【０１８１】
更に、第１リレーのコイルＲＹ１Ｍへの通電が遮断される。それにより、第１リレーのノーマルクローズ接点ＲＹ１Ｒがオープン状態からクローズ状態に切り換わると共に、第１リレーのノーマルオープン接点ＲＹ１Ｌがクローズ状態からオープン状態に切り換わる。また、第２リレーの第２ノーマルオープン接点ＲＹ２Ｌがクローズ状態に維持されると共に、第２リレーのコイルＲＹ２Ｍへの通電が維持され、それにより、第２リレーの第１ノーマルオープン接点ＲＹ２Ｒのクローズ状態が維持される。
【０１８２】
それにより、第４リレーのコイルＲＹ４Ｍへの通電が開始される。それにより、第４リレーの第１ノーマルオープン接点ＲＹ４Ｒおよび第２ノーマルオープン接点ＲＹ４Ｌがオープン状態からクローズ状態に切り換わる。それにより、故障信号出力回路１４が閉じられ、故障信号ＥＭＧＥＸが出力される。
【０１８３】
次いで、第３の実施形態の電源装置１０では、図７および図８に示すように、「交流電源１１からＡＣ／ＤＣコンバータ１に交流電圧が入力され、ＡＣ／ＤＣコンバータ１から負荷１３に直流電圧が出力されず、非常停止スイッチＳＷがオフに維持されている」状態から、「交流電源１１からＡＣ／ＤＣコンバータ１に交流電圧が入力され、ＡＣ／ＤＣコンバータ１から負荷１３に直流電圧が出力されず、非常停止スイッチＳＷがオンになる」状態に切り換わると（図８の時間ｔ２６）、第１リレーのコイルＲＹ１Ｍへの通電が遮断された状態で維持される。それにより、第１リレーのノーマルクローズ接点ＲＹ１Ｒがクローズ状態に維持されると共に、第１リレーのノーマルオープン接点ＲＹ１Ｌがオープン状態に維持される。
【０１８４】
更に、第４リレーの第２ノーマルオープン接点ＲＹ４Ｌがクローズ状態に維持されると共に、第４リレーのコイルＲＹ４Ｍへの通電が維持され、それにより、第４リレーの第１ノーマルオープン接点ＲＹ４Ｒのクローズ状態が維持される。それにより、故障信号出力回路１４が閉じられた状態が維持され、故障信号（ＥＭＧＥＸ）が出力され続ける。
【０１８５】
また、非常停止スイッチＳＷがオンになるのに伴って、第３リレーのコイルＲＹ３Ｍへの通電が開始され、それにより、第３リレーのノーマルクローズ接点ＲＹ３Ｌがクローズ状態からオープン状態に切り換わる。それにより、第２リレーのコイルＲＹ２Ｍへの通電が遮断され、それにより、第２リレーの第１ノーマルオープン接点ＲＹ２Ｒおよび第２ノーマルオープン接点ＲＹ２Ｌのクローズ状態がオープン状態に切り換わる。
【０１８６】
次いで、第３の実施形態の電源装置１０では、図７および図８に示すように、「交流電源１１からＡＣ／ＤＣコンバータ１に交流電圧が入力され、ＡＣ／ＤＣコンバータ１から負荷１３に直流電圧が出力されず、非常停止スイッチＳＷがオンになっている」状態から、「交流電源１１からＡＣ／ＤＣコンバータ１に交流電圧が入力され、ＡＣ／ＤＣコンバータ１から負荷１３に直流電圧が出力されず、非常停止スイッチＳＷがオフになる」状態に切り換わると（図８の時間ｔ２７）、第３リレーのコイルＲＹ３Ｍへの通電が遮断され、それにより、第３リレーのノーマルクローズ接点ＲＹ３Ｌがオープン状態からクローズ状態に切り換わる。
【０１８７】
更に、第１リレーのコイルＲＹ１Ｍへの通電が遮断された状態で維持される。それにより、第１リレーのノーマルクローズ接点ＲＹ１Ｒがクローズ状態に維持されると共に、第１リレーのノーマルオープン接点ＲＹ１Ｌがオープン状態に維持される。それにより、第２リレーのコイルＲＹ２Ｍへの通電が遮断された状態で維持され、それにより、第２リレーの第１ノーマルオープン接点ＲＹ２Ｒおよび第２ノーマルオープン接点ＲＹ２Ｌのオープン状態が維持される。
【０１８８】
また、第４リレーの第２ノーマルオープン接点ＲＹ４Ｌのクローズ状態が維持されると共に、第４リレーのコイルＲＹ４Ｍの通電状態が維持され、それにより、第４リレーの第１ノーマルオープン接点ＲＹ４Ｒのクローズ状態が維持される。それにより、故障信号出力回路１４が閉じられた状態が維持され、故障信号（ＥＭＧＥＸ）が出力され続ける。
【０１８９】
次いで、第３の実施形態の電源装置１０では、図７および図８に示すように、ＡＣ／ＤＣコンバータ１が回復し、ＡＣ／ＤＣコンバータ１から負荷１３に直流電圧が再び出力されるようになると（図８の時間ｔ２８）、第１リレーのコイルＲＹ１Ｍへの通電が開始され、それにより、第１リレーのノーマルクローズ接点ＲＹ１Ｒがクローズ状態からオープン状態に切り換わると共に、第１リレーのノーマルオープン接点ＲＹ１Ｌがオープン状態からクローズ状態に切り換わる。
【０１９０】
それにより、第４リレーのコイルＲＹ４Ｍの通電が遮断され、それにより、第４リレーの第１ノーマルオープン接点ＲＹ４Ｒおよび第２ノーマルオープン接点ＲＹ４Ｌがクローズ状態からオープン状態に切り換わる。それにより、故障信号出力回路１４が開き、故障信号（ＥＭＧＥＸ）が出力されなくなる。
【０１９１】
一方、非常停止スイッチＳＷがオフのまま維持されるため、第３リレーのコイルＲＹ３Ｍへの通電の遮断が維持され、それにより、第３リレーのノーマルクローズ接点ＲＹ３Ｌがクローズ状態に維持される。それにより、第２リレーのコイルＲＹ２Ｍの通電が開始され、それにより、第２リレーの第１ノーマルオープン接点ＲＹ２Ｒおよび第２ノーマルオープン接点ＲＹ２Ｌがクローズ状態からオープン状態に切り換わる。
【０１９２】
換言すれば、第３の実施形態の電源装置１０では、ＡＣ／ＤＣコンバータ１の一方の入力側ライン１ａ１とＡＣ／ＤＣコンバータ１の他方の入力側ライン１ａ２との間に、第１リレーのノーマルクローズ接点ＲＹ１Ｒと第１リレーのノーマルオープン接点ＲＹ１Ｌと第２リレーのコイルＲＹ２Ｍと第２リレーの第１ノーマルオープン接点ＲＹ２Ｒと第２リレーの第２ノーマルオープン接点ＲＹ２Ｌと第３リレーのコイルＲＹ３Ｍと第３リレーのノーマルクローズ接点ＲＹ３Ｌと第４リレーのコイルＲＹ４Ｍと第４リレーの第２ノーマルオープン接点ＲＹ４Ｌと非常停止スイッチＳＷと非常停止信号遅延回路１５とが設けられているものの、電源が別個に設けられていない。
【０１９３】
更に、第３の実施形態の電源装置１０では、ＡＣ／ＤＣコンバータ１の一方の出力側ライン１ｂ１とＡＣ／ＤＣコンバータ１の他方の出力側ライン１ｂ２との間に、第１リレーのコイルＲＹ１Ｍが設けられているものの、電源が別個に設けられていない。
【０１９４】
そのため、第３の実施形態の電源装置１０によれば、ＡＣ／ＤＣコンバータの入力側ラインの監視回路に別個に電源が設けられると共に、ＡＣ／ＤＣコンバータの出力側ラインの監視回路に別個に電源が設けられている特開２００７−２６７５０１号公報の図２に記載された電源装置よりも、ＡＣ／ＤＣコンバータ１の入力側ライン１ａ１，１ａ２および出力側ライン１ｂ１，１ｂ２の監視回路用に別個に設けられる電源の数を低減することができる。
【０１９５】
詳細には、第３の実施形態の電源装置１０によれば、特開２００７−２６７５０１号公報の図２に記載された電源装置よりも、ＡＣ／ＤＣコンバータ１の入力側ライン１ａ１，１ａ２および出力側ライン１ｂ１，１ｂ２の監視回路用に別個に設けられる電源の数を低減することにより、ＡＣ／ＤＣコンバータ１の入力側ライン１ａ１，１ａ２および出力側ライン１ｂ１，１ｂ２の監視回路の信頼性を向上させることができる。
【０１９６】
また、第３の実施形態の電源装置１０によれば、特開２００７−２６７５０１号公報の図２に記載された電源装置よりも、ＡＣ／ＤＣコンバータ１の入力側ライン１ａ１，１ａ２および出力側ライン１ｂ１，１ｂ２の監視回路用に別個に設けられる電源の数を低減することにより、ＡＣ／ＤＣコンバータ１の入力側ライン１ａ１，１ａ２および出力側ライン１ｂ１，１ｂ２の監視回路のコストを抑制することができる。
【０１９７】
更に、第３の実施形態の電源装置１０によれば、ＡＣ／ＤＣコンバータの入力側ラインの監視回路にコンパレータが設けられると共に、ＡＣ／ＤＣコンバータの出力側ラインの監視回路にコンパレータが設けられている特開２００７−２６７５０１号公報の図２に記載された電源装置よりも、ＡＣ／ＤＣコンバータ１の入力側ライン１ａ１，１ａ２および出力側ライン１ｂ１，１ｂ２の監視回路の構成部品（ＲＹ１Ｍ，ＲＹ１Ｌ，ＲＹ１Ｒ，ＲＹ２Ｍ，ＲＹ２Ｌ，ＲＹ２Ｒ，ＲＹ３Ｍ，ＲＹ３Ｌ，ＲＹ３Ｒ，ＲＹ４Ｍ，ＲＹ４Ｌ，ＲＹ４Ｒ，ＳＷ，１５）が故障しているか否かの判別を容易にすることができる。
【０１９８】
すなわち、第３の実施形態の電源装置１０によれば、特開２００７−２６７５０１号公報の図２に記載された電源装置よりも、ＡＣ／ＤＣコンバータ１の入力側ライン１ａ１，１ａ２および出力側ライン１ｂ１，１ｂ２の監視回路の信頼性を向上させると共に、コストを抑制することができる。
【０１９９】
更に、第３の実施形態の電源装置１０によれば、非常停止スイッチＳＷがオン状態にされるのに伴ってＡＣ／ＤＣコンバータ１から負荷１３に直流電圧が出力されない時に故障信号ＥＭＧＥＸが出力されてしまうのを回避することができる。
【０２００】
また、第３の実施形態の電源装置１０によれば、ＡＣ／ＤＣコンバータ１から負荷１３に直流電圧が出力されていない状態で非常停止スイッチＳＷがオン状態にされるのに伴って故障信号ＥＭＧＥＸが出力しなくなってしまうのを回避することができる。
【図面の簡単な説明】
【０２０１】
【図１】第１の実施形態の電源装置１０の概略的な回路図である。
【図２】第１の実施形態の電源装置１０のタイミングチャートである。
【図３】第２の実施形態の電源装置１０の概略的な回路図である。
【図４】図３に示す非常停止信号遅延回路１５の一例を示した回路図である。
【図５】仮に非常停止信号遅延回路１５が設けられていない場合における第２の実施形態の電源装置１０のタイミングチャートである。
【図６】非常停止信号遅延回路１５が設けられている図３に示す第２の実施形態の電源装置１０のタイミングチャートである。
【図７】第３の実施形態の電源装置１０の概略的な回路図である。
【図８】第３の実施形態の電源装置１０のタイミングチャートである。
【図９】第１参考例の電源装置２０の概略的な回路図である。
【図１０】第２参考例の電源装置２０の概略的な回路図である。
【符号の説明】
【０２０２】
１                  ＡＣ／ＤＣコンバータ
１ａ１，１ａ２      入力側ライン
１ｂ１，１ｂ２      出力側ライン
１０                電源装置
１１                交流電源
１３                負荷
１４                故障信号出力回路
ＲＹ１Ｍ            コイル
ＲＹ１Ｒ，ＲＹ１Ｌ  接点
ＲＹ２Ｍ            コイル
ＲＹ２Ｒ，ＲＹ２Ｌ  接点
【図１】
2010098835.tif 000003
【図２】
2010098835.tif 000004
【図３】
2010098835.tif 000005
【図４】
2010098835.tif 000006
【図５】
2010098835.tif 000007
【図６】
2010098835.tif 000008
【図７】
2010098835.tif 000009
【図８】
2010098835.tif 000010
【図９】
2010098835.tif 000011
【図１０】
2010098835.tif 000012